(57)【要約】  混注作業の作業効率を向上させることのできる混注支援システムを提供することを課題とする。混注支援システム（１）は、端末表示部（１６２）と、薬品の混注作業に含まれる各作業工程の情報を前記端末表示部（１６２）に順次表示させる端末制御部（１６１）とを備える。そして、前記端末制御部（１６１）が、前記作業工程のうち予め設定された特定の作業工程の情報を表示する際に、前記特定の作業工程の情報として作業工程の内容、作業量、及び作業対象のみを前記端末表示部（１６２）に表示させる。
2017018370.tif 000002
【特許請求の範囲】
【請求項１】
表示部と、薬品の混注作業に含まれる各作業工程の情報を前記表示部に順次表示させる制御部とを備え、前記制御部が、前記作業工程のうち予め設定された特定の作業工程の情報を表示する際に、前記特定の作業工程の情報として作業工程の内容、作業量、及び作業対象のみを前記表示部に表示させる混注支援システム。
【請求項２】
表示部と、薬品の混注作業に含まれる各作業工程の情報を前記表示部に順次表示させる制御部とを備え、前記制御部が、前記作業工程のうち予め設定された特定の作業工程の情報を表示する際に、前記特定の作業工程の情報として作業工程の内容、作業量、及び作業対象のみを前記表示部に表示させると共に、現在の前記特定の作業工程に予め対応付けられた色を示すステータス領域を前記表示部に表示させる混注支援システム。
【請求項３】
表示部と、薬品の混注作業に含まれる各作業工程の情報を前記表示部に順次表示させる制御部とを備え、前記制御部が、前記作業工程のうち予め設定された特定の作業工程の情報を表示する際に、前記特定の作業工程の情報として作業工程の内容、作業量、及び作業対象のみを前記表示部に表示させると共に、同一の前記特定の作業工程が繰り返し表示される場合には同一の前記特定の作業工程の実施予定数と実施済数とを示す薬品数表示領域を前記表示部に表示させる混注支援システム。
【請求項４】
表示部と、薬品の混注作業に含まれる各作業工程の情報を前記表示部に順次表示させる制御部とを備え、前記制御部が、前記作業工程のうち予め設定された特定の作業工程の情報を表示する際に、前記特定の作業工程の情報として作業工程の内容、作業量、及び作業対象のみを前記表示部に表示させると共に、前記特定の作業工程について少なくとも進行又は後退を操作するための操作表示領域を前記表示部に表示させる混注支援システム。
【請求項５】
前記作業工程の内容が、前記作業工程の内容に対応して予め設定されたピクトグラムである請求項１〜４のいずれかに記載の混注支援システム。
【請求項６】
前記表示部を第１表示部として、前記第１表示部よりも画面サイズが大きい第２表示部を更に備え、前記制御部が、前記作業工程の情報を前記第２表示部にも表示させるものであって、前記第１表示部に表示される前記作業工程の情報の情報量が前記第２表示部に表示される前記作業工程の情報の情報量よりも少ない請求項１〜５のいずれかに記載の混注支援システム。
【請求項７】
前記混注作業の作業者が装着可能なウェアラブル端末を備え、前記第１表示部が、前記ウェアラブル端末に設けられている請求項６に記載の混注支援システム。
【請求項８】
前記作業工程の情報を音声で読み上げる読上処理部を更に備える請求項１〜７のいずれかに記載の混注支援システム。
【請求項９】
前記制御部が、前記作業対象が薬品名称である場合、前記薬品名称の規格を除く略称を表示させる請求項１〜８のいずれかに記載の混注支援システム。
【請求項１０】
前記制御部が、前記作業工程のうち前記薬品を認証する薬品認証工程では前記表示部に前記薬品名称を省略せずに表示させ、前記薬品認証工程の終了後の他の前記作業工程について前記薬品名称を表示する際には前記薬品名称の略称を前記表示部に表示させる請求項９に記載の混注支援システム。
【請求項１１】
前記制御部が、前記作業対象が薬品名称である場合、前記作業対象として薬品画像を表示可能である請求項１〜１０のいずれかに記載の混注支援システム。
【請求項１２】
前記制御部が、前記作業工程の内容、前記作業量、及び前記作業対象が表示される状態と前記薬品画像が表示される状態とを交互に切り替えて表示可能である請求項１１に記載の混注支援システム。
【請求項１３】
予め設定された薬品データベースに基づいて前記薬品画像を更新する薬品更新処理部を更に備える請求項１１又は１２に記載の混注支援システム。
【請求項１４】
前記混注作業の作業者が装着可能であって前記表示部及び撮影部を備えるウェアラブル端末と、前記撮影部で捉えられるコード情報から情報を読み取る読取処理部と、前記読取処理部によって読み取られる情報に基づいて前記ウェアラブル端末に関する設定項目の内容を設定する設定処理部と、を備える請求項１〜１３のいずれかに記載の混注支援システム。
【請求項１５】
前記設定処理部が、前記ウェアラブル端末の起動に伴って、前記読取処理部を前記情報の読み取りが可能な待機状態に遷移させた後、予め設定された第１上限時間の経過前に前記読取処理部によって情報が読み取られた場合は当該情報に基づいて前記ウェアラブル端末に関する設定項目の内容を設定し、前記第１上限時間の経過前に前記読取処理部によって情報が読み取られなかった場合は前記待機状態を解除する請求項１４に記載の混注支援システム。
【請求項１６】
薬品の混注作業の作業者が装着可能であって表示部及び撮影部を備えるウェアラブル端末と、前記混注作業に含まれる各作業工程の情報を前記表示部に表示させる制御部と、前記撮影部で捉えられるコード情報から情報を読み取る読取処理部と、前記ウェアラブル端末の起動に伴って、前記読取処理部を前記情報の読み取りが可能な待機状態に遷移させた後、予め設定された第１上限時間の経過前に前記読取処理部によって情報が読み取られた場合は当該情報に基づいて前記ウェアラブル端末に関する設定項目の内容を設定し、前記第１上限時間の経過前に前記読取処理部によって情報が読み取られなかった場合は前記待機状態を解除する設定処理部と、を備える混注支援システム。
【請求項１７】
前記設定処理部が、前記第１上限時間内に前記読取処理部によって読み取られた前記情報に基づく前記設定項目の設定後に前記待機状態を維持し、その後、予め設定された第２上限時間以内の間隔で前記読取処理部によって情報が読み取られた場合は当該情報に基づいて前記設定項目の内容を設定して前記待機状態を維持し、前記第２上限時間の経過前に前記読取処理部によって情報が読み取られなかった場合は前記待機状態を解除する、請求項１６に記載の混注支援システム。
【請求項１８】
前記設定項目の一つに、前記表示部による表示モード及び前記ウェアラブル端末の接続先のいずれか一方又は両方が含まれる、請求項１６又は１７に記載の混注支援システム。
【請求項１９】
前記表示モードが、前記作業者が右目で前記表示部を見る右目モードと前記作業者が左目で前記表示部を見る左目モードとを含む、請求項１８に記載の混注支援システム。
【請求項２０】
一つの前記コード情報に、複数の前記設定項目の設定内容についての情報が含まれており、前記設定処理部が、前記読取処理部によって読み取られる情報に基づいて複数の前記設定項目を一挙に設定可能である、請求項１６〜１９のいずれかに記載の混注支援システム。
【請求項２１】
前記設定処理部によって設定された前記設定項目の履歴を記憶する記憶部を備え、前記設定処理部が、前記設定項目のうち前記待機状態で前記読取処理部によって読み取られる情報に基づいて設定されなかった未設定項目は、前記記憶部に記憶されている前記履歴に基づいて設定する、請求項１６〜２０のいずれかに記載の混注支援システム。
【請求項２２】
前記作業者ごとに対応する前記設定項目を記憶する記憶部を備え、前記設定処理部が、前記待機状態で前記読取処理部によって読み取られた情報に前記作業者を識別可能な情報が含まれる場合、当該作業者に対応する前記設定項目を前記記憶部から読み出して設定する請求項１６〜２１のいずれかに記載の混注支援システム。
【発明の詳細な説明】
【技術分野】
【０００１】本発明は、抗がん剤のような薬品の混注作業を支援する混注支援システムに関する。
【背景技術】
【０００２】病院又は薬局では、抗がん剤のような薬品を生理食塩液のような溶解液に混合する混注作業が薬剤師によって行われる。このとき、混注作業に必要な情報を表示装置に表示することにより、その混注作業を行う薬剤師を支援する混注支援システムが使用されることがある（例えば特許文献１参照）。
【先行技術文献】
【特許文献】
【０００３】【特許文献１】特開２００７−２６０３９０号公報
【特許文献２】特開２００６−１２２８１６号公報
【発明の概要】
【発明が解決しようとする課題】
【０００４】ところで、混注支援システムにおいて、混注作業に必要な情報として多くの情報が表示装置に表示されると、薬剤師が混注作業における作業工程ごとに、必要な情報と不要な情報とを取捨選択しながら情報を整理する必要があり作業効率が低下する。【０００５】本発明の目的は、混注作業の作業効率を向上させることのできる混注支援システムを提供することにある。
【課題を解決するための手段】
【０００６】本発明に係る混注支援システムは、表示部と、薬品の混注作業に含まれる各作業工程の情報を前記表示部に順次表示させる制御部とを備える。そして、前記制御部が、前記作業工程のうち予め設定された特定の作業工程の情報を表示する際に、前記特定の作業工程の情報として作業工程の内容、作業量、及び作業対象のみを前記表示部に表示させる。【０００７】また、本発明の他の形態に係る混注支援システムは、表示部と、薬品の混注作業に含まれる各作業工程の情報を前記表示部に順次表示させる制御部とを備える。そして、前記制御部が、前記作業工程のうち予め設定された特定の作業工程の情報を表示する際に、前記特定の作業工程の情報として作業工程の内容、作業量、及び作業対象のみを前記表示部に表示させると共に、現在の前記特定の作業工程に予め対応付けられた色を示すステータス領域を前記表示部に表示させる。【０００８】また、本発明の他の形態に係る混注支援システムは、表示部と、薬品の混注作業に含まれる各作業工程の情報を前記表示部に順次表示させる制御部とを備える。そして、前記制御部が、前記作業工程のうち予め設定された特定の作業工程の情報を表示する際に、前記特定の作業工程の情報として作業工程の内容、作業量、及び作業対象のみを前記表示部に表示させると共に、同一の前記特定の作業工程が繰り返し表示される場合には同一の前記特定の作業工程の実施予定数と実施済数とを示す薬品数表示領域を前記表示部に表示させる。【０００９】また、本発明の他の形態に係る混注支援システムは、表示部と、薬品の混注作業に含まれる各作業工程の情報を前記表示部に順次表示させる制御部とを備える。そして、前記制御部が、前記作業工程のうち予め設定された特定の作業工程の情報を表示する際に、前記特定の作業工程の情報として作業工程の内容、作業量、及び作業対象のみを前記表示部に表示させると共に、前記特定の作業工程について少なくとも進行又は後退を操作するための操作表示領域を前記表示部に表示させる。【００１０】例えば、前記作業工程の内容が、前記作業工程の内容に対応して予め設定されたピクトグラムである。【００１１】また、前記混注支援システムは、前記表示部を第１表示部として、前記第１表示部よりも画面サイズが大きい第２表示部を更に備えてもよい。この場合、前記制御部が、前記作業工程の情報を前記第２表示部にも表示させるものであって、前記第１表示部に表示される前記作業工程の情報の情報量が前記第２表示部に表示される前記作業工程の情報の情報量よりも少ないことが考えられる。【００１２】また、前記混注支援システムが、前記混注作業の作業者が装着可能なウェアラブル端末を更に備えており、前記第１表示部が、前記ウェアラブル端末に設けられていることが考えられる。さらに、前記混注支援システムは、前記作業工程の情報を音声で読み上げる読上処理部を更に備えてもよい。【００１３】前記制御部が、前記作業対象が薬品名称である場合、前記薬品名称の規格を除く略称を表示させることが考えられる。特に、前記制御部が、前記作業工程のうち前記薬品を認証する薬品認証工程では前記表示部に前記薬品名称を省略せずに表示させ、前記薬品認証工程の終了後の他の前記作業工程について前記薬品名称を表示する際には前記薬品名称の略称を前記表示部に表示させることが考えられる。【００１４】また、前記制御部が、前記作業対象が薬品名称である場合、前記作業対象として薬品画像を表示可能であることが考えられる。また、前記制御部が、前記作業工程の内容、前記作業量、及び前記作業対象が表示される状態と前記薬品画像が表示される状態とを交互に切り替えて表示可能であることが考えられる。さらに、前記混注支援システムが、予め設定された薬品データベースに基づいて前記薬品画像を更新する薬品更新処理部を備えることが考えられる。【００１５】また、前記混注支援システムが、前記混注作業の作業者が装着可能であって前記表示部及び撮影部を備えるウェアラブル端末と、前記撮影部で捉えられるコード情報から情報を読み取る読取処理部と、前記読取処理部によって読み取られる情報に基づいて前記ウェアラブル端末に関する設定項目の内容を設定する設定処理部とを備えることが考えられる。【００１６】特に、前記設定処理部は、前記ウェアラブル端末の起動に伴って、前記読取処理部を前記情報の読み取りが可能な待機状態に遷移させた後、予め設定された第１上限時間の経過前に前記読取処理部によって情報が読み取られた場合は当該情報に基づいて前記ウェアラブル端末に関する設定項目の内容を設定し、前記第１上限時間の経過前に前記読取処理部によって情報が読み取られなかった場合は前記待機状態を解除することが考えられる。【００１７】また、本発明に係る他の形態の混注支援システムは、薬品の混注作業の作業者が装着可能であって表示部及び撮影部を備えるウェアラブル端末と、前記混注作業に含まれる各作業工程の情報を前記表示部に表示させる制御部と、前記撮影部で捉えられるコード情報から情報を読み取る読取処理部と、前記ウェアラブル端末の起動に伴って、前記読取処理部を前記情報の読み取りが可能な待機状態に遷移させた後、予め設定された第１上限時間の経過前に前記読取処理部によって情報が読み取られた場合は当該情報に基づいて前記ウェアラブル端末に関する設定項目の内容を設定し、前記第１上限時間の経過前に前記読取処理部によって情報が読み取られなかった場合は前記待機状態を解除する設定処理部とを備える。【００１８】また、前記設定処理部が、前記第１上限時間内に前記読取処理部によって読み取られた前記情報に基づく前記設定項目の設定後に前記待機状態を維持し、その後、予め設定された第２上限時間以内の間隔で前記読取処理部によって情報が読み取られた場合は当該情報に基づいて前記設定項目の内容を設定して前記待機状態を維持し、前記第２上限時間の経過前に前記読取処理部によって情報が読み取られなかった場合は前記待機状態を解除することが考えられる。【００１９】また、前記設定項目の一つに、前記表示部による表示モード及び前記ウェアラブル端末の接続先のいずれか一方又は両方が含まれることが考えられる。また、前記表示モードが、前記作業者が右目で前記表示部を見る右目モードと前記作業者が左目で前記表示部を見る左目モードとを含むことが考えられる。【００２０】また、一つの前記コード情報に、複数の前記設定項目の設定内容についての情報が含まれており、前記設定処理部が、前記読取処理部によって読み取られる情報に基づいて複数の前記設定項目を一挙に設定可能であることが考えられる。【００２１】また、前記混注支援システムが、前記設定処理部によって設定された前記設定項目の履歴を記憶する記憶部を備え、前記設定処理部が、前記設定項目のうち前記待機状態で前記読取処理部によって読み取られる情報に基づいて設定されなかった未設定項目は、前記記憶部に記憶されている前記履歴に基づいて設定することが考えられる。【００２２】また、前記混注支援システムが、前記作業者ごとに対応する前記設定項目を記憶する記憶部を備え、前記設定処理部が、前記待機状態で前記読取処理部によって読み取られた情報に前記作業者を識別可能な情報が含まれる場合、当該作業者に対応する前記設定項目を前記記憶部から読み出して設定することが考えられる。
【発明の効果】
【００２３】本発明によれば、混注作業の作業効率を向上させることのできる混注支援システムが提供される。
【図面の簡単な説明】
【００２４】【図１】図１は、本発明の実施形態に係る混注支援システムの一例を示すブロック図である。
【図２】図２は、本発明の実施形態に係る混注支援システムの一例を示す外観模式図である。
【図３】図３は、本発明の実施形態に係る混注支援システムで用いられる安全キャビネットの使用状態を示す図である。
【図４】図４は、本発明の実施形態に係る混注支援システムのウェアラブル端末の一例を示す外観模式図である。
【図５】図５は、本発明の実施形態に係る混注支援システムで実行される混注支援処理の手順の一例を説明するフローチャートである。
【図６Ａ】図６Ａは、本発明の実施形態に係る混注支援システムで表示される表示画面の一例を図である。
【図６Ｂ】図６Ｂは、本発明の実施形態に係る混注支援システムで表示される表示画面の一例を図である。
【図７】図７は、本発明の実施形態に係る混注支援システムで実行される表示制御処理の手順の一例を説明するフローチャートである。
【図８】図８は、本発明の実施形態に係る混注支援システムで表示される表示画面の一例を図である。
【図９】図９は、本発明の実施形態に係る混注支援システムで表示される表示画面の一例を図である。
【図１０】図１０は、本発明の実施形態に係る混注支援システムで表示される表示画面の一例を図である。
【図１１】図１１は、本発明の実施形態に係る混注支援システムで表示される表示画面の一例を図である。
【図１２】図１２は、本発明の実施形態に係る混注支援システムで表示される表示画面の一例を図である。
【図１３】図１３は、本発明の実施形態に係る混注支援システムで表示される表示画面の一例を図である。
【図１４】図１４は、本発明の実施形態に係る混注支援システムで表示される表示画面の一例を図である。
【図１５】図１５は、本発明の実施形態に係る混注支援システムで表示される表示画面の一例を図である。
【図１６】図１６は、本発明の実施形態に係る混注支援システムで表示される表示画面の一例を図である。
【図１７】図１７は、本発明の実施形態に係る混注支援システムで表示される表示画面の一例を図である。
【図１８】図１８は、本発明の実施形態に係る混注支援システムで表示される表示画面の一例を図である。
【図１９Ａ】図１９Ａは、本発明の実施形態に係る混注支援システムで表示される表示画面の一例を図である。
【図１９Ｂ】図１９Ｂは、本発明の実施形態に係る混注支援システムで表示される表示画面の一例を図である。
【図１９Ｃ】図１９Ｃは、本発明の実施形態に係る混注支援システムで表示される表示画面の一例を図である。
【図２０】図２０は、本発明の実施形態に係る混注支援システムで表示される表示画面の一例を図である。
【図２１】図２１は、本発明の実施形態に係る混注支援システムで表示される表示画面の一例を図である。
【図２２】図２２は、本発明の実施形態に係る混注支援システムで表示される表示画面の一例を図である。
【図２３】図２３は、本発明の実施形態に係る混注支援システムで表示される表示画面の一例を図である。
【図２４】図２４は、本発明の実施形態に係る混注支援システムで表示される表示画面の一例を図である。
【図２５Ａ】図２５Ａは、本発明の実施形態に係る混注支援システムで表示される表示画面の一例を図である。
【図２５Ｂ】図２５Ｂは、本発明の実施形態に係る混注支援システムで表示される表示画面の一例を図である。
【図２５Ｃ】図２５Ｃは、本発明の実施形態に係る混注支援システムで表示される表示画面の一例を図である。
【図２６】図２６は、本発明の実施形態に係る混注支援システムで表示される表示画面の一例を図である。
【図２７】図２７は、本発明の実施形態に係る混注支援システムで表示される表示画面の一例を図である。
【図２８】図２８は、本発明の実施形態に係る混注支援システムで実行される薬品画像更新処理の一例を示すフローチャートである。
【図２９】図２９は、本発明の実施形態に係る混注支援システムで実行される設定処理の一例を示すフローチャートである。
【図３０Ａ】図３０Ａは、本発明の実施形態に係る混注支援システムでウェアラブル端末に表示される表示画面の一例を図である。
【図３０Ｂ】図３０Ｂは、本発明の実施形態に係る混注支援システムでウェアラブル端末に表示される表示画面の一例を図である。
【図３０Ｃ】図３０Ｃは、本発明の実施形態に係る混注支援システムでウェアラブル端末に表示される表示画面の一例を図である。
【発明を実施するための形態】
【００２５】以下添付図面を参照しながら、本発明の実施形態について説明し、本発明の理解に供する。なお、以下の実施形態は、本発明を具体化した一例であって、本発明の技術的範囲を限定する性格のものではない。
【００２６】［混注支援システム１］まず、図１〜図４を参照しつつ、前記混注支援システム１の構成について説明する。図１及び図２に示すように、本発明の実施の形態に係る混注支援システム１は、混注制御部１１、操作表示部１２、第１読取部１３、プリンター１４、フットスイッチ部１５、ウェアラブル端末１６、第２読取部２１、及び秤量部２２などを備える。そして、前記混注支援システム１は、医師又は薬剤師などの作業者によって実行される薬品の混注作業の効率化を図るために使用される。
【００２７】具体的に、前記混注作業において、作業者は、薬品容器から注射器で薬液を吸引して、生理食塩液のような溶解液が収容されている輸液バッグに注入する作業を実行することがある。また、前記混注作業において、作業者が、輸液バッグから生理食塩液のような溶解液を注射器で吸引して、粉薬が収容されている薬品容器に注入してその粉薬を溶解させ、その溶解後の薬液を注射器で吸引して輸液バッグに注入する作業を実行することもある。
【００２８】図２に示されるように、前記第２読取部２１及び前記秤量部２２は、作業者が混注作業を行う安全キャビネット１００の作業室１０１内に配置される。一方、前記混注制御部１１、前記操作表示部１２、前記第１読取部１３、前記プリンター１４、前記フットスイッチ部１５、及び前記ウェアラブル端末１６は、前記安全キャビネット１００の作業室外に配置される。
【００２９】前記安全キャビネット１００は、前面が透明なガラス扉１０２で仕切られた作業室１０１を備える。また、前記ガラス扉１０２は、下方に開放部１０３が形成される位置で支持されており、作業者は前記開放部１０３から前記作業室１０１内にアクセス可能である。なお、前記安全キャビネット１００には、前記作業室１０１内の空気を清浄化して排気するためのＨＥＰＡフィルタを有する空気清浄装置１０４なども設けられている。
【００３０】そして、図３に示されるように、作業者は、前記開放部１０３から両手を前記作業室１０１内に差し込み、前記作業室１０１内を目視しながら薬品の混注作業を行う。なお、前記混注支援システム１では、高カロリー輸液などの毒性の無い薬品を混注作業する場合、前記安全キャビネット１００に代えて、クリーンベンチなどが用いられることも考えられる。
【００３１】前記安全キャビネット１００内に設けられる前記第２読取部２１は、前記混注作業で使用する薬品の薬品容器に付されている一次元コード又は二次元コードなどのコード情報を読み取り可能なコード読取装置である。前記二次元コードは、例えばＱＲコード（登録商標）である。前記コード情報には、前記薬品の種類を特定するための識別情報が含まれている。前記第２読取部２１で読み取られる前記コード情報は、前記混注制御部１１に入力される。
【００３２】同じく前記安全キャビネット１００内に設けられる前記秤量部２２は、前記混注作業における各種の計量に用いられる電子天秤である。前記秤量部２２による計量結果は、リアルタイムで前記混注制御部１１に入力される。また、前記秤量部２２は、計量結果が安定したか否かを示す安定情報を前記混注制御部１１に入力する。これにより、前記混注制御部１１では、前記秤量部２２による計量結果及び安定有無などの情報を取得することが可能である。なお、前記混注制御部１１が、前記秤量部２２による計量結果及び安定有無などの情報を能動的に読み出し可能な構成であってもよい。
【００３３】前記混注制御部１１は、ＬＡＮ、ＷＡＮ、インターネット、又はイントラネットなどの通信網を介して無線又は有線で上位システムと通信可能に接続される。前記上位システムは、電子カルテシステム、オーダーリングシステム、又はレセプトシステムなどであり、前記混注制御部１１は、作業者が実行する混注作業の内容を示す調製データ（処方データ）を前記上位システムから取得可能である。
【００３４】例えば、前記調製データには、患者情報（患者ＩＤ、患者氏名、身長、体重、体表面積など）、調製日、薬品情報（薬品コード、薬品名など）、用量、レジメン識別情報などが含まれる。前記レジメン識別情報は、例えば療法名（レジメン名）、療法ＩＤ、又はレジメンＩＤなどのレジメン情報を識別可能な情報である。また、前記調製データには、医師情報、薬品容器の種類（薬液入りアンプル、薬液入りバイアル瓶、粉薬入りバイアル瓶、又は輸液バッグなど）、調製内容情報（混注作業に使用する薬品容器、注射器、注射針の種類及び本数等）、及び調製手順情報（作業内容、溶解薬、溶媒、溶解薬量、溶媒量、抜取量）、投薬日、処方箋区分、診療科、病棟などの情報が含まれていてもよい。
【００３５】前記混注制御部１１は、ＣＰＵ１１１、ＲＡＭ１１２、及び記憶部１１３などを有するコンピューターである。前記ＣＰＵ１１１は、各種の演算処理を実行するプロセッサーである。前記ＲＡＭ１１２は揮発性の記憶部であり、前記ＣＰＵが実行する各種の処理の一時記憶メモリー（作業領域）として使用される。前記記憶部１１３は、前記ＣＰＵ１１１に各種の処理を実行させるための制御プログラムなどの情報が記憶されるＨＤＤ又はＳＳＤなどの不揮発性の記憶部である。前記混注制御部１１は、前記ＣＰＵ１１１及び前記ＲＡＭ１１２を用いて、前記記憶部１１３に予め記憶された各種の制御プログラムに従った各種の処理を実行する。
【００３６】前記記憶部１１３には、データ領域、プログラム領域、及びマスター領域などの記憶領域が含まれる。なお、前記記憶部１１３が、ＨＤＤ及び半導体メモリーなどの複数の記憶媒体を備えており、前記データ領域、前記プログラム領域、及び前記マスター領域が複数の記憶媒体に分散して設けられていてもよい。
【００３７】前記データ領域には、前記上位システムから取得される前記調製データが蓄積して記憶される。なお、前記混注制御部１１では、ユーザー操作に応じて前記調製データを新規登録又は編集することも可能である。また、前記データ領域には、前記調製データに従って作業者によって実行された混注作業の内容を示す履歴データが前記調製データに対応付けて記憶される。例えば、前記履歴データには、前記混注作業の作業者、作業開始時間、作業終了時間、及び前記混注作業の途中で撮影される撮影画像などが含まれる。
【００３８】前記プログラム領域には、前記混注制御部１１に後述の混注支援処理（図５参照）などを実行させるための制御プログラムが記憶される。なお、前記プログラム領域には、オペレーティングシステム（ＯＳ）及びブラウザソフトなどのアプリケーションプログラムも記憶されている。
【００３９】前記マスター領域には、薬品マスター、患者マスター、病棟マスター、医師マスター、及び薬剤師マスターなどの各種のマスター情報が記憶される。例えば、前記薬品マスターには、薬品ＩＤ、薬品名、薬品コード、薬瓶コード、区分（剤形：散薬、錠剤、水剤、外用薬など）、比重、薬品種（普通薬、抗がん剤、毒薬、麻薬、劇薬、抗精神薬、治療薬など）、配合変化、賦形薬品、注意事項、薬品容器の種別（アンプル、バイアル瓶）、薬品容器単位の薬品の収容量（既定量）、及び薬品容器の重量などの情報が含まれる。なお、前記薬品ＩＤは、ＹＪコード、ＪＡＮコード、又はＲＳＳコードなどの識別コードである。
【００４０】前記操作表示部１２は、前記混注制御部１１からの制御指示に従って各種の情報を表示する液晶ディスプレイ又は有機ＥＬディスプレイなどの表示部と、前記混注制御部１１に各種の情報を入力するためにユーザーによって操作される操作部とを備える第２表示部の一例である。作業者から見て、前記操作表示部１２の前記表示部の表示画面のサイズは、後述の前記ウェアラブル端末１６の端末表示部１６２の表示画面のサイズよりも大きい。
【００４１】具体的に、前記操作表示部１２の前記操作部は、前記表示部に表示される各種の操作画面に対するタッチ操作を受け付けるタッチパネルである。なお、前記操作表示部１２は、タブレット端末などであってもよい。また、前記操作部は、前記表示部に表示される各種の操作画面における入力操作を受け付けるキーボード及びマウス（ポインティングデバイス）を含むものであってもよい。さらに、前記操作部は、音声認識により各種情報の入力を受け付ける音声入力装置を含むものであってもよい。
【００４２】前記第１読取部１３は、前記調製データに対応する調製箋などに印刷されている一次元コード又は二次元コードなどのコード情報を読み取り可能なコード読取装置である。前記コード情報には、前記調製データを識別するための識別情報が含まれている。前記第１読取部１３で読み取られる前記コード情報は、前記混注制御部１１に入力される。そして、前記混注制御部１１は、前記第１読取部１３を用いて前記調製箋から読み取られる前記コード情報に基づいて、今回の混注作業の対象となる前記調製データを特定する。具体的に、前記混注制御部１１は、前記コード情報から前記調製データの識別情報を読み取り、前記識別情報に対応する前記調製データを前記記憶部１１３のデータ記憶部１１１から選択する。なお、前記混注制御部１１が、前記コード情報から前記調製データを取得するものであってもよい。
【００４３】前記プリンター１４は、前記混注制御部１１によって各種の情報を印刷するために用いられる。例えば、前記混注制御部１１によって実行される前記調製データに対応する前記調製箋の印刷、又は前記調製データに従って実行される前記混注作業の履歴の印刷などに用いられる。
【００４４】前記フットスイッチ部１５は、作業者が前記混注作業の実行中に前記混注制御部１１への操作入力を行うための操作部である。前記フットスイッチ部１５は、第１フットスイッチ１５１、第２フットスイッチ１５２、及び第３フットスイッチ１５３を備える。前記第１フットスイッチ１５１及び前記第２フットスイッチ１５２は、操作対象の項目の選択操作などに用いられ、前記第３フットスイッチ１５３は、操作対象の項目の決定操作などに用いられる。
【００４５】図１及び図４に示されるように、前記ウェアラブル端末１６は、端末制御部１６１、端末表示部１６２、撮影部１６３、操作ボタン１６４、スピーカー１６５、及びマイク１６６などを備えている。例えば、前記ウェアラブル端末１６は、ウエストユニティス株式会社製の製品名「ＩｎｆｏＬｉｎｋｅｒ（登録商標）」、型番「ＷＵＺ−０１Ａ−ＮＢ０１」のウェアラブルグラスである。また、前記ウェアラブル端末１６は、Ｗｉ−Ｆｉ（登録商標）などの無線ＬＡＮ規格、又はＢｌｕｅｔｏｏｔｈ（登録商標）などの近距離無線通信規格に従って前記混注制御部１１と通信可能である。なお、前記ウェアラブル端末１６には、前記ウェアラブル端末１６に着脱可能であって充電可能な二次電池が設けられており、前記ウェアラブル端末１６は前記二次電池からの供給電力によって稼働する。
【００４６】前記ウェアラブル端末１６は、作業者が装着可能な端末である。具体的に、図４に示されるように、前記ウェアラブル端末１６は、不図示の着脱部材によって、作業者が装着するメガネに着脱可能であって、作業者が片眼で視認する片眼タイプのスマートグラスである。なお、前記ウェアラブル端末１６は、不図示のアタッチメントを介して直接作業者の頭部に装着可能な構成であってもよい。また、前記ウェアラブル端末１６は、メガネと一体構成された所謂ヘッドマウントディスプレイ等であってもよい。さらに、前記ウェアラブル端末１６は、スマートウォッチ又はスマートフォン等のように作業者によって容易に持ち運び可能であり、その作業者が必要に応じて表示情報を確認することが可能なデバイスであればよい。
【００４７】前記端末制御部１６１は、ＣＰＵ１７１、ＲＡＭ１７２、及び記憶部１７３などを有する。前記ＣＰＵ１７１は、各種の演算処理を実行するプロセッサーである。前記ＲＡＭ１７２は揮発性の記憶部であり、前記ＣＰＵが実行する各種の処理の一時記憶メモリー（作業領域）として使用される。前記記憶部１７３は、前記ＣＰＵ１７１に各種の処理を実行させるための制御プログラムなどの情報が記憶されるＥＥＰＲＯＭ（登録商標）などの不揮発性の記憶部である。前記端末制御部１６１は、前記ＣＰＵ１７１及び前記ＲＡＭ１７２を用いて、前記記憶部１７３に予め記憶された各種の制御プログラムに従って各種の処理を実行する。また、前記記憶部１７３には、後述の表示制御処理（図７参照）において、前記端末表示部１６２に表示される各種の表示画面のレイアウト情報及び画像データなどが記憶されている
【００４８】前記端末表示部１６２は、前記端末制御部１６１によって制御されることにより各種の情報を表示可能な小型ディスプレイを備える第１表示部の一例である。作業者は、前記端末表示部１６２を直接覗き込むことにより、前記端末表示部１６２による表示情報を視認することが可能である。例えば、前記端末表示部１６２は、数十ｃｍ先に数インチ相当の表示画面が表示されているような感覚を作業者に与えるように情報を表示する。また、前記ウェアラブル端末１６が眼鏡と共に用いられる場合には、前記端末表示部１６２が前記眼鏡のレンズ等に情報を投影させるマイクロディスプレイを有することも他の実施形態として考えられる。
【００４９】前記撮影部１６３は、前記ウェアラブル端末１６を装着した作業者の視点と同様の画角で写真を撮影することが可能なデジタルカメラである。前記撮影部１６３で撮影される画像又は映像は、前記端末制御部１６１の記憶部１７３に一次記憶されると共に、前記混注制御部１１に送信される。
【００５０】なお、前記混注支援システム１では、前記第１読取部１３及び前記第２読取部２１に代えて、前記端末制御部１６１が、前記撮影部１６３を用いて薬品容器又は調製箋などのコード情報を読み取る機能を有することも考えられる。これにより、前記第１読取部１３及び前記第２読取部２１の一方又は両方を省略することが可能である。
【００５１】前記端末操作部１６４は、作業者が前記ウェアラブル端末１６を直接操作するための電源ボタン等の各種の操作ボタンを含む。前記スピーカー１６５は、予め設定された案内メッセージデータに基づいて音声を再生するために用いられる。前記マイク１６６は、入力される音声を音声信号に変換して前記端末制御部１６１に入力する。なお、前記スピーカー１６５に代えてイヤホン又はスピーカーが装着可能なイヤホン端子が設けられていること、又は前記マイク１６６に代えてマイクが装着可能なマイク端子が設けられていることも考えられる。
【００５２】ところで、このように構成された前記混注支援システム１において、前記混注作業に必要な情報として多くの情報が前記操作表示部１２及び前記端末表示部１６２などの表示装置に表示されると、作業者が混注作業に含まれる作業工程ごとに、必要な情報と不要な情報とを取捨選択しながら情報を整理する必要があり作業効率が低下することがある。これに対し、本実施形態に係る前記混注支援システム１では、混注作業の作業効率を向上させることができる。
【００５３】なお、前記混注作業では、作業者によって、例えば薬品認証工程、風袋引き工程、溶解液抜取り工程、溶解液計量工程、溶解液撮影工程、溶解工程、薬液抜取り工程、薬液計量工程、薬液撮影工程、及び混注工程などから必要な作業工程が選択されて順次実行される。
【００５４】前記薬品認証工程は、前記混注作業で使用する薬品を認証するための工程であり、例えば前記第２読取部２１を用いて薬品の識別情報を読み取る工程である。前記風袋引き工程は、前記混注作業で使用する注射器などの機材のみの重量を予め計量するための工程であり、例えば前記注射器を前記秤量部２２に載置する工程である。
【００５５】前記溶解液抜取り工程は、輸液バッグから生理食塩液のような溶解液を注射器で必要量抜き取る工程である。前記溶解液計量工程は、前記溶解液を抜き取った前記注射器の重量を計量するための工程であり、前記注射器を前記秤量部２２に載置する工程である。なお、前記溶解液計量工程において、前記混注制御装置１１は、前記秤量部２２に載置された前記注射器の重量と前記風袋引きで設定された前記注射器の重量との差分を前記溶解液の重量として計量する。前記溶解工程は、薬品が粉薬である場合にその薬品を溶解するための工程であり、前記注射器で抜き取られた溶解液を薬品容器に注入する工程である。
【００５６】前記溶解液撮影工程は、前記溶解液が抜き取られた前記注射器を前記撮影部１６３で撮影するための工程である。前記薬液抜取り工程は、薬品容器から薬液を注射器で必要量抜き取る工程である。前記薬液計量工程は、前記薬液を抜き取った前記注射器の重量を計量するための工程であり、前記注射器を前記秤量部２２に載置する工程である。なお、前記薬液計量工程においても、前記混注制御装置１１は、前記秤量部２２に載置された前記注射器の重量と前記風袋引きで設定された前記注射器の重量との差分を前記薬液の重量として計量する。前記薬液撮影工程は、前記薬液が抜き取られた前記注射器を前記撮影部１６３で撮影するための工程である。前記混注工程は、前記注射器内の前記薬液を前記輸液バッグに注入する工程である。
【００５７】［混注支援処理］以下、図５を参照しつつ、前記混注支援システム１において前記混注制御部１１によって実行される混注支援処理について説明する。なお、前記混注支援処理は、例えば前記操作表示部１２を用いて自己のＩＤ及びパスワードなどを入力して前記混注支援システム１にログインした後、前記混注作業を開始する旨の操作が行われた場合に実行される。
【００５８】＜ステップＳ１１＞ステップＳ１１において、前記混注制御部１１は、前記混注作業の対象となる前記調製データが選択されたか否かが判断される。具体的に、前記混注制御部１１は、前記第１読取部１３により前記調製データの識別情報が読み取られた場合に、前記識別情報に対応する前記調製データが選択されたと判断する。なお、前記操作表示部１２に表示される調製データ選択画面において、未調整の前記調製データのいずれか一つが選択された場合に前記調製データが選択されたと判断されてもよい。ここで、前記調製データが選択されたと判断されると（Ｓ１１：Ｙｅｓ）、処理がステップＳ１２に移行し、前記調製データが選択されていなければ（Ｓ１１：Ｎｏ）、処理がステップＳ１１で待機する。なお、前記第１読取部１３によって読み取られた識別情報に対応する前記調製データが前記記憶部１１３に記憶されていない場合、又は既に調製済みである場合にはエラーが報知される。
【００５９】＜ステップＳ１２＞ステップＳ１２において、前記混注制御部１１は、前記ステップＳ１１で選択された前記調製データを前記混注作業の対象として前記操作表示部１２に表示させる。ここに、図６Ａは、前記調製データの内容が表示される混注支援画面Ｄ１の一例を示す図である。図６Ａに示されるように、前記混注支援画面Ｄ１には、前記調製データについて、作業者名（薬剤師名）、鑑査者名、診療科、病棟、服用開始日、医師名、患者名（患者ＩＤ）、年齢、性別、処方内容などが表示されている。また、前記混注支援画面Ｄ１には、前記秤量部２２による計量結果が表示されている。そして、前記混注制御部１１は、前記秤量部２２による計量結果を前記ウェアラブル端末１６にも送信しており、前記計量結果は、前記端末制御部１６１によって必要に応じて前記端末表示部１６２に表示される。
【００６０】＜ステップＳ１３＞ステップＳ１３において、前記混注制御部１１は、前記調製データに基づいて実行されるべき薬品の混注作業に含まれる各作業工程の情報を前記操作表示部１２及び前記端末表示部１６２に順次表示させる。具体的に、前記混注制御部１１は、前記作業工程の情報を前記操作表示部１２に表示させると共に、前記作業工程の表示要求を前記ウェアラブル端末１６に送信する。前記作業工程の表示要求には、前記作業工程の内容、前記作業量、及び前記作業対象などの情報が含まれる。これにより、前記ウェアラブル端末１６では、前記端末制御部１６１によって、前記作業工程の情報が前記端末表示部１６２に表示される。なお、後述するように、前記端末制御部１６１によって前記端末表示部１６２に順次表示される前記作業工程の情報は、前記混注作業に含まれる複数の前記作業工程のうち次に行われるべき作業工程のみに必要な情報であって、前記作業工程の内容、作業量、作業対象が簡素化された情報である。また、前記ステップＳ１３に代えて、ステップＳ１５、Ｓ１７、Ｓ１９、Ｓ２１、及びＳ２３各々において、前記混注作業のうち現在の前記作業工程の情報が前記端末表示部１６２に表示されてもよい。
【００６１】例えば、前記混注制御部１１は、前記ステップＳ１３が実行されるごとに、前記薬品認証工程、前記風袋引き工程、前記溶解液抜取り工程、前記溶解液計量工程、前記溶解液撮影工程、前記溶解工程、前記薬液抜取り工程、前記薬液計量工程、前記薬液撮影工程、及び前記混注工程などの各種の作業工程の情報を順次表示させる。前記作業工程の情報には、例えば前記作業工程の内容（作業工程の種別）、作業量（抜取り量、注入量）、作業対象（薬品、溶解液、注射器の識別情報）が含まれる。但し、前記混注支援システム１では、後述するように、前記端末表示部１６２に表示される前記作業工程の情報が、前記操作表示部１２に表示される前記作業工程の情報に比べて簡素化されている。
【００６２】なお、ここでは前記混注制御部１１が、前記ウェアラブル端末１６に表示要求を送信することにより、前記端末表示部１６２に前記作業工程の情報を表示させる場合について説明する。一方、前記混注制御部１１が、前記端末表示部１６２を直接制御して前記作業工程の情報を前記端末表示部１６２に表示させる構成であってもよい。
【００６３】ここに、図６Ｂは、前記ステップＳ１３で操作表示部１２に表示される本体側表示画面Ｄ１１の一例を示す図である。なお、前記本体側表示画面Ｄ１１は、前記混注支援画面Ｄ１の一部として表示され、又は前記混注支援画面Ｄ１に重ねてポップアップ表示される。前記本体表示画面Ｄ１１では、前記混注作業における各作業工程の情報を示す領域として、作業工程領域Ａ１、作業量領域Ａ２、及び作業対象領域Ａ３が表示されている。また、前記本体表示画面Ｄ１１には、現在操作可能な操作項目が表示される操作表示領域Ａ４と、前記本体表示画面Ｄ１１に表示されている前記作業工程の内容のタイトルが文字列で表示されるステータス領域Ａ５とが表示されている。
【００６４】前記作業工程領域Ａ１には、前記作業工程の内容が前記作業工程の内容を示す文字列で表示されている。前記作業量領域Ａ２には、前記作業工程における作業量として、薬品数、抜取り量、又は注入量などの数値及び単位が表示されている。前記作業対象領域Ａ３には、前記作業工程で作業の対象となる作業対象を特定するための名称又はコードなどの識別情報が表示される。なお、前記操作表示部１２では、前述したように前記混注支援画面Ｄ１に患者の情報及び前記調製データの詳細情報などが表示されている。そのため、作業者は、前記操作表示部１２の前記混注支援画面Ｄ１及び前記本体側表示画面Ｄ１１などを参照することにより前記混注作業の詳細を確認することも可能である。
【００６５】＜ステップＳ１４＞ステップＳ１４において、前記混注制御部１１は、現在の作業工程が前記薬品認証工程であるか否かが判断される。ここで、現在の作業工程が前記薬品認証工程であると判断されると（Ｓ１４：Ｙｅｓ）、処理がステップＳ１５に移行し、現在の作業工程が前記薬品認証工程でないと判断されると（Ｓ１４：Ｎｏ）、処理がステップＳ１６に移行する。
【００６６】＜ステップＳ１５＞ステップＳ１５において、前記混注制御部１１は、前記混注作業で使用する薬品の適否を判定する薬品認証処理を実行する。具体的に、前記混注制御部１１は、前記第２読取部２１による薬品の識別情報の読み取りを待ち受けており、前記薬品の識別情報が読み取られた場合に、前記薬品の識別情報が現在の前記薬品認証工程で読み取られるべき前記調製データ内の薬品の識別情報と一致するか否かを照合する。そして、前記混注制御部１１は、前記薬品の識別情報の照合結果が一致である場合、処理をステップＳ１６に移行させる。なお、前記混注制御部１１は、前記薬品の識別情報の照合結果が不一致である場合、エラーを報知して当該ステップＳ１５を繰り返し実行する。
【００６７】＜ステップＳ１６＞ステップＳ１６において、前記混注制御部１１は、現在の作業工程が前記風袋引き工程あるか否かが判断される。ここで、現在の作業工程が前記風袋引き工程であると判断されると（Ｓ１６：Ｙｅｓ）、処理がステップＳ１７に移行し、現在の作業工程が前記風袋引き工程でないと判断されると（Ｓ１６：Ｎｏ）、処理がステップＳ１８に移行する。
【００６８】＜ステップＳ１７＞ステップＳ１７において、前記混注制御部１１は、前記混注作業で使用する注射器の重量を設定する風袋引き処理を実行する。具体的に、前記混注制御部１１は、前記秤量部２２への注射器の載置、及び前記秤量部２２による計量値の安定を待ち受けており、前記計量値が安定した場合に前記計量値を前記注射器の風袋引きの重量として前記記憶部１１３に記憶し、処理をステップＳ１８に移行させる。
【００６９】＜ステップＳ１８＞ステップＳ１８において、前記混注制御部１１は、現在の作業工程が前記溶解液計量工程又は前記薬液計量工程などの計量工程であるか否かが判断される。ここで、現在の作業工程が前記計量工程であると判断されると（Ｓ１８：Ｙｅｓ）、処理がステップＳ１９に移行し、現在の作業工程が前記計量工程でないと判断されると（Ｓ１８：Ｎｏ）、処理がステップＳ１９に移行する。
【００７０】＜ステップＳ１９＞ステップＳ１９において、前記混注制御部１１は、前記計量工程を支援するための処理を実行する。具体的に、前記混注制御部１１は、前記秤量部２２への計量対象物の載置、及び前記秤量部２２による計量値（以下、「実測計量値」と称する）の安定を待ち受けており、前記計量値が安定した場合は前記実測計量値と前記計量対象物の計量目標値との差が予め設定された誤差範囲内であるか否かを判定する。そして、前記混注制御部１１は、前記実測計量値と前記計量目標値との差が前記誤差範囲内であると判定した場合、前記実測計量値を計量結果として前記記憶部１１３に記憶し、処理をステップＳ２０に移行させる。なお、前記混注制御部１１は、前記実測計量値と前記計量目標値との差が前記誤差範囲内でない場合、エラーを報知して当該ステップＳ１９を繰り返し実行する。
【００７１】＜ステップＳ２０＞ステップＳ２０において、前記混注制御部１１は、現在の作業工程が前記溶解液撮影工程又は前記薬液撮影工程などの撮影工程であるか否かが判断される。ここで、現在の作業工程が前記撮影工程であると判断されると（Ｓ２０：Ｙｅｓ）、処理がステップＳ２１に移行し、現在の作業工程が前記撮影工程でないと判断されると（Ｓ２０：Ｎｏ）、処理がステップＳ２２に移行する。
【００７２】＜ステップＳ２１＞ステップＳ２１において、前記混注制御部１１は、前記ウェアラブル端末１６の前記撮影部１６３に写真撮影を実行させるための処理を実行する。具体的に、前記混注制御部１１は、前記フットスイッチ部１５を用いた前記撮影部１６３による撮影操作を待ち受けており、前記撮影操作が行われた場合に前記ウェアラブル端末１６に撮影要求を送信する。これにより、前記ウェアラブル端末１６では、前記端末制御部１６１によって前記撮影部１６３が制御されて前記撮影部１６３による撮影が実行され、撮影画像が前記混注制御部１１に送信される。そして、前記混注制御部１１は、前記撮影画像を前記操作表示部１２に表示させた後、作業者による確認操作が行われた場合に、前記撮影画像を前記調製データに対応付けて前記記憶部１１３に履歴データとして記憶する。なお、前記混注制御部１１は、作業者により再撮影操作などが行われた場合には、前記撮影要求を再度前記ウェアラブル端末１６に送信することにより、前記撮影部１６３による撮影を再実行させることも可能である。
【００７３】＜ステップＳ２２＞ステップＳ２２において、前記混注制御部１１は、現在の作業工程が前記溶解液抜取り工程、前記溶解工程、前記薬液抜取り工程、及び前記混注工程などの他の作業工程であるか否かが判断される。ここで、現在の作業工程が前記他の作業工程であると判断されると（Ｓ２２：Ｙｅｓ）、処理がステップＳ２３に移行し、現在の作業工程が前記他の作業工程ではないと判断されると（Ｓ２２：Ｎｏ）、処理が前記ステップＳ１３に移行する。
【００７４】＜ステップＳ２３＞ステップＳ２３において、前記混注制御部１１は、前記他の作業工程の情報の確認操作を受け付ける確認処理を実行する。具体的に、前記混注制御部１１は、前記作業工程の確認操作を待ち受けており、前記確認操作が行われた場合に、処理をステップＳ２４に移行させる。なお、前記確認操作は、前記操作表示部１２又は前記フットスイッチ部１５を用いて作業者によって行われる。
【００７５】＜ステップＳ２４＞ステップＳ２４において、前記混注制御部１１は、前記調製データに基づく前記混注作業の全ての作業工程が終了したか否かを判断する。ここで、全ての前記作業工程が終了していないと判断されると（Ｓ２４：Ｎｏ）、処理が前記ステップＳ１３に移行して次の作業工程について同様の処理が実行される。なお、全ての前記作業工程が終了したと判断された場合には（Ｓ２４：Ｙｅｓ）、前記調製データについての一連の前記混注支援処理が終了し、処理が前記ステップＳ１１に戻される。
【００７６】このように、前記混注支援処理では、前記調製データに基づいて前記混注作業に必要な作業工程が順次表示されるため、作業者がその表示に従って順に前記作業工程を進めることが可能である。そして、前記混注制御システム１では、以下に説明するように、前記混注支援処理によって作業者による前記混注作業が支援される際に作業者が参照する前記ウェアラブル端末１６の前記端末表示部１６２の表示画面から不要な情報が排除されている。
【００７７】［表示制御処理］続いて、図７を参照しつつ、前記ウェアラブル端末１６の前記端末制御部１６１によって実行される表示制御処理について説明する。なお、前記表示制御処理は、例えば前記ウェアラブル端末１６の電源が投入されており、前記混注制御部１１の電源が投入されている場合に実行される。なお、前記表示制御処理は、前記混注制御部１１によって実行されてもよい。
【００７８】＜ステップＳ３１＞ステップＳ３１において、前記端末制御部１６１は、前記混注制御部１１からの前記作業工程の表示要求（前記ステップＳ１３）が行われたか否かを判断する。ここで、前記作業工程の表示要求が行われたと判断した場合（Ｓ３１：Ｙｅｓ）、処理はステップＳ３２に移行し、前記作業工程の表示要求が行われていないと判断した場合（Ｓ３１：Ｎｏ）、処理はステップＳ３３に移行する。
【００７９】＜ステップＳ３２＞ステップＳ３２において、前記端末制御部１６１は、前記作業工程の表示要求に応じて、前記混注作業に含まれる各作業工程の情報を示す端末表示画面Ｄ２を前記端末表示部１６２に順次表示させる。前記作業工程の表示要求には、前述したように前記作業工程の内容、前記作業量、及び前記作業対象などの情報が含まれる。ここで、前記端末制御部１６１は、前記作業工程のうち予め設定された特定の作業工程の情報を表示する際には、前記特定の作業工程の情報として前記作業工程の内容（作業工程の種別）、前記作業量、及び前記作業対象のみを前記端末表示部１６２の前記端末表示画面Ｄ２に表示させる。本実施形態において、前記特定の作業工程は、前記薬品認証工程、前記溶解液抜取り工程、前記溶解工程、前記薬液抜取り工程である。
【００８０】また、前記端末制御部１６１は、前記端末表示画面Ｄ２を前記端末表示部１６２に表示させる際、前記端末表示画面Ｄ２に表示される前記作業工程の情報を音声で読み上げる。ここに、前記読み上げ処理を実行するときの前記端末制御部１６１が読上処理部の一例である。これにより、作業者は、視覚だけでなく聴覚によっても前記作業工程の情報を認識することができ、前記作業工程の人為的ミスが抑制される。なお、前記作業工程の情報の音声による読み上げは、前記作業工程の情報のうち前記作業工程の内容、前記作業量、及び前記作業対象のいずれか一つ又は複数であってよい。例えば、前記端末制御部１６１の記憶部１７３に、前記作業工程の内容ごとに対応して、前記作業工程の内容が読み上げられた音声データが予め記憶されており、前記端末制御部１６１は、前記作業工程の内容に対応する前記音声データを前記スピーカー１６５によって再生させる。なお、前記音声による前記作業工程の情報の読み上げは省略されてもよい。
【００８１】ここに、図８は、前記作業工程が前記薬品認証工程である場合における前記端末表示画面Ｄ２の一例を示す図である。なお、前記薬品認証工程が本発明における特定の作業工程の一例である。図８に示されるように、前記端末表示画面Ｄ２には、前記混注作業における各作業工程の情報を示す領域として、作業工程領域Ａ１１、作業量領域Ａ１２、及び作業対象領域Ａ１３のみが表示されている。また、前記端末表示画面Ｄ２には、前記作業工程の情報とは別に操作表示領域Ａ１４及びステータス領域Ａ１５が表示されている。そして、図６Ａ及び図８に示されるように、前記端末表示部１６２に表示される前記作業工程の情報の情報量は、前記操作表示部１２に表示される前記作業工程の情報の情報量よりも少ない。
【００８２】前記端末表示画面Ｄ２では、前記作業工程領域Ａ１１及び前記作業量領域Ａ１２が上段において左右に並べて表示され、それらの下段に前記作業対象領域Ａ１３が表示されている。なお、前記作業工程領域Ａ１１、前記作業量領域Ａ１２、及び前記作業対象領域Ａ１３各々の背景色は、相互に異なる予め設定された色で表示されている。また、前記操作表示領域Ａ１４は、前記作業対象領域Ａ１３の下段に表示されており、前記ステータス領域Ａ１５は、前記作業工程領域Ａ１１及び前記作業対象領域Ａ１３の左側に表示されている。
【００８３】前記作業工程領域Ａ１１には、前記作業工程の内容をイラストなどで示すピクトグラムが前記作業工程の内容として表示されている。具体的に、前記ウェアラブル端末１６の前記記憶部１７３には、前記作業工程の内容ごとに対応して予め設定されたピクトグラムの画像データが記憶されている。そして、前記端末制御部１６１は、前記作業工程の表示要求に応じて前記作業工程の内容に対応する前記ピクトグラムの画像データを前記記憶部１７３から読み出して前記ピクトグラムを前記作業工程領域Ａ１１に表示させる。これにより、作業者は、前記作業工程領域Ａ１１を参照することにより、前記作業工程の内容を直感的に認識することが可能である。
【００８４】また、前記作業量領域Ａ１２には、前記作業工程における作業量として、薬品数、抜取り量、又は注入量などの数値及び単位が表示される。具体的に、前記作業量は、前記薬品認証工程では認証の必要がある薬品数であり、前記溶解液抜取り工程又は前記薬液抜取り工程では抜き取り量であり、前記溶解工程では注入量である。
【００８５】前記作業対象領域Ａ１３には、前記作業工程で作業の対象となる作業対象を特定するための名称又はコードなどの識別情報が表示される。より具体的に、前記作業対象が薬品である場合には、その薬品の名称又は略称が前記識別情報として表示され、前記作業対象が注射器である場合には、その注射器の名称又は略称が前記識別情報として表示され、前記作業対象が溶解液である場合には、その溶解液の名称又は略称が前記識別情報として表示される。特に、前記ウェアラブル端末１６では、前記作業対象領域Ａ１３に表示される作業対象の識別情報は、予め設定された文字サイズ以上となる範囲で予め設定されている。なお、前記識別情報が、前記作業対象領域Ａ１３に前記文字サイズ以上で表示できない場合には、前記作業対象領域Ａ１３において前記識別情報がスクロール表示されることも考えられる。
【００８６】このように、前記端末表示画面Ｄ２では、前記作業工程の情報として、前記作業工程の内容、前記作業量、及び前記作業対象のみが表示され、前記作業工程の実施に必要な情報を取捨選択する必要がないため、作業者による前記混注作業の作業効率が向上する。
【００８７】また、前記端末表示画面Ｄ２において、前記操作表示領域Ａ１４には、現在操作可能な操作項目が表示される。具体的に、前記操作表示領域Ａ１４には、前記第３フットスイッチ１５３が操作された場合に前記混注制御部１１で受け付けられる操作項目を示す操作領域Ａ１４１が表示されている。また、前記操作表示領域Ａ１４には、前記第１フットスイッチ１５１が操作された場合に前記操作領域Ａ１４１に移動して表示される操作項目を示す操作領域Ａ１４２と、前記第２フットスイッチ１５２が操作された場合に前記操作領域Ａ１４１に表示される操作項目を示す操作領域Ａ１４３とが表示されている。
【００８８】例えば、図８に示される例では、前記操作領域Ａ１４２に「戻る」、前記操作領域Ａ１４３に「スキップ」、前記操作領域Ａ１４１に「認証」の操作内容が割り当てられている状態が示されている。そして、前記混注制御部１１は、前記第１フットスイッチ１５１が操作された場合は前記操作領域Ａ１４１に「戻る」を表示させ、前記第２フットスイッチ１５２が操作された場合は前記操作領域Ａ１４１に「スキップ」を表示させる。一方、前記第３フットスイッチ１５３が操作された場合、前記混注制御部１１は、前記操作領域Ａ１４１に表示されている「認証」の操作内容に対応する処理を実行する。具体的に、前記薬品認証工程である場合、前記薬品認証処理（Ｓ１５）を開始する。
【００８９】また、前記ステータス領域Ａ１５には、前記端末表示画面Ｄ２に表示されている前記作業工程の内容に対応して予め設定された色が表示されている。これにより、作業者は、前記ステータス領域Ａ１５を参照することにより、前記作業工程の内容を容易に認識することが可能である。なお、前記ステータス領域Ａ１５に表示される色は、前記作業工程の内容ごとに個別である場合に限らず、前記作業工程の内容について予め設定されたグループごとに異なる色であってもよい。例えば、前記作業工程の内容が、抜取り又は注入などを伴う作業工程のグループ、計量を伴う作業工程のグループ、撮影を伴う作業工程のグループなどに分類されていることが考えられる。
【００９０】また、前記ステップＳ３２において、前記端末制御部１６１は、前記端末表示画面Ｄ２を前記端末表示部１６２に表示させると共に、前記端末表示画面Ｄ２に表示される前記作業工程の情報を音声で読み上げてもよい。これにより、作業者は、視覚だけでなく聴覚によっても前記作業工程の情報を認識することができ、前記作業工程の人為的ミスが抑制される。なお、前記作業工程の情報の音声による読み上げは、前記作業工程の情報のうち前記作業工程の内容、前記作業量、及び前記作業対象のいずれか一つ又は複数であってよい。例えば、前記端末制御部１６１の記憶部１７３に、前記作業工程の内容ごとに対応して、前記作業工程の内容が読み上げられた音声データが予め記憶されており、前記端末制御部１６１は、前記作業工程の内容に対応する前記音声データを前記スピーカー１６５によって再生させる。なお、前記音声による前記作業工程の情報の読み上げは省略されてもよい。
【００９１】＜ステップＳ３３＞ステップＳ３３において、前記端末制御部１６１は、前記撮影部１６３の撮影要求が行われたか否かが判断される。例えば、前記混注制御部１１は、前記端末表示画面Ｄ２の前記操作領域Ａ１４１に「撮影」が表示されている状態で前記フットスイッチ部１５の前記第３フットスイッチ１５３が操作された場合に、前記端末制御部１６１に前記撮影要求を送信する。
【００９２】＜ステップＳ３４＞ステップＳ３４において、前記端末制御部１６１は、前記撮影部１６３による撮影を実行し、前記撮影部１６３で撮影された撮影画像を前記混注制御部１１に送信する。これにより、前記混注制御部１１では、前記混注作業に対応する前記調製データに対応付けて前記撮影画像を履歴データとして前記記憶部１１３に記憶させることが可能である。
【００９３】以上、説明したように、前記混注支援システム１では、作業者が前記ウェアラブル端末１６の端末表示部１６２に表示される前記端末表示画面Ｄ２を参照することで、前記混注作業の各作業工程を実行することが可能である。特に、前記端末表示画面Ｄ２では、前記混注作業の作業工程各々の情報として、前記作業工程の内容、前記作業量、前記作業対象のみが抽出して表示されている。従って、作業者が前記混注作業に含まれる作業工程ごとに、必要な情報と不要な情報とを取捨選択しながら情報を整理する必要がないため、前記混注作業の作業効率が向上する。
【００９４】［作業工程各々に対応する表示例］以下、図９〜図２４を参照しつつ、前記混注作業に含まれる各作業工程が実行される場合の前記端末表示画面Ｄ２の表示例について説明する。図９〜図２４では、右側に前記端末表示部１６２に表示される前記端末表示画面Ｄ２が示されている。また、図９〜図２４では、左側には前記端末表示画面Ｄ２が表示されているときに前記操作表示部１２において前記混注支援画面Ｄ１にポップアップ表示される本体表示画面Ｄ１１が示されている。なお、図９〜図２４における前記本体表示画面Ｄ１１及び前記端末表示画面Ｄ２の大小関係は図９〜図２４に示す比率に限らない。
【００９５】＜薬品認証工程＞ここに、図９及び図１０は、前記薬品認証工程に対応する表示例を示す図である。
【００９６】図９に示されるように、前記本体側表示画面Ｄ１１では、前記作業工程領域Ａ１に、前記作業工程の内容として「認証を行ってください。」の文字列が表示されている。また、前記作業量領域Ａ２には、前記作業量として「本数：０／１」の文字列が表示されている。さらに、前記作業対象領域Ａ３には、前記作業対象として「アリムタ（登録商標）」注射用５００ｍｇ」の文字列が表示されている。
【００９７】一方、図９に示されるように、前記端末表示画面Ｄ２では、前記作業工程領域Ａ１１に、前記薬品認証工程に対応して予め設定され、前記第２読取部２１を用いて薬品の識別情報をバーコードから読み取る動作を示唆するピクトグラムが表示されている。また、前記作業量領域Ａ１２には、前記作業量として「０／１」の文字列が表示されている。さらに、前記作業対象領域Ａ１３には、前記作業対象である薬品「アリムタ注射用５００ｍｇ」の略称である「５００ｍｇアリム」の文字列が表示されている。
【００９８】なお、前記混注作業で他の薬品も使用される場合には、続けて前記他の薬品についても同様に前記本体表示画面Ｄ１１及び前記端末表示画面Ｄ２に前記薬品認証工程に対応する情報が表示される。例えば、図１０では、前記本体表示画面Ｄ１１及び前記端末表示画面Ｄ２において、前記他の薬品についての前記薬品認証工程の情報として、前記作業工程の内容が薬品認証工程であり、前記作業対象がアリムタ注射用１００ｍｇであり、前記作業量が３本である旨が表示されている。
【００９９】＜風袋引き工程＞ここに、図１１は、前記風袋引き工程に対応する表示例を示す図である。
【０１００】図１１に示されるように、前記本体側表示画面Ｄ１１では、前記作業工程領域Ａ１に、前記作業工程の内容として「空シリンジの風袋引きをしてください。」の文字列が表示されている。また、前記作業対象領域Ａ３には、前記作業対象として「５０ｍＬシリンジ−１」の文字列が表示されている。
【０１０１】一方、図１１に示されるように、前記端末表示画面Ｄ２では、前記作業工程領域Ａ１１に、前記風袋引き工程に対応して予め設定され、前記風袋引き工程に含まれる計量動作を示唆する天秤の針の動きを示すピクトグラムが表示されている。また、前記端末表示画面Ｄ２では、前記作業対象領域Ａ１３に代えて、前記風袋引き工程の作業対象の識別情報が示される作業対象領域Ａ１３１と、前記秤量部２２による実測の計量値が表示される実測領域Ａ１３２とを含む計量領域Ａ１３０が表示されている。さらに、前記計量領域Ａ１３０には、前記秤量部２２による計量状態が安定したか否かが示される安定表示領域Ａ１６が表示されている。例えば、前記秤量部２２による計量状態が安定していない場合に前記安定表示領域Ａ１６が赤色で表示され、安定した場合には前記安定表示領域Ａ１６が青色で表示させる。
【０１０２】＜溶解液抜取り工程＞ここに、図１２は、前記溶解液抜取り工程に対応する表示例を示す図である。
【０１０３】図１２に示されるように、前記本体側表示画面Ｄ１１では、前記作業工程領域Ａ１に、前記作業工程の内容として「溶解液を抜き取ってください。」の文字列が表示されている。また、前記作業量領域Ａ２には、前記作業量として「用量：３２．６ｍＬ」の文字列が表示されている。さらに、前記作業対象領域Ａ３には、前記作業対象として「生理食塩液５００ｍｌ」の文字列が表示されている。
【０１０４】一方、図１２に示されるように、前記端末表示画面Ｄ２では、前記作業工程領域Ａ１１に、前記溶解液抜取り工程に対応して予め設定され、前記溶解液抜取り工程に含まれる前記注射器のピストンを引いて前記溶解液を抜き取る動作を示唆するピクトグラムが表示されている。また、前記作業量領域Ａ１２には、前記作業量として「抜  ３２．６ｍＬ」の文字列が表示されている。さらに、前記作業対象領域Ａ１３には、前記作業対象である薬品「生理食塩液５００ｍｌ」の略称である「５００ｍｌ生食」の文字列が表示されている。
【０１０５】＜溶解液計量工程＞ここに、図１３は、前記溶解液計量工程に対応する表示例を示す図である。
【０１０６】図１３に示されるように、前記本体側表示画面Ｄ１１では、前記作業工程領域Ａ１に、前記作業工程の内容として「溶解液を計量してください。」の文字列が表示されている。また、前記作業量領域Ａ２には、前記作業量として「用量：３２．６ｍＬ」の文字列が表示されている。さらに、前記作業対象領域Ａ３には、前記作業対象として「生理食塩液５００ｍｌ」の文字列が表示されている。
【０１０７】一方、図１３に示されるように、前記端末表示画面Ｄ２では、前記作業工程領域Ａ１１に、前記溶解液計量工程に対応して予め設定され、前記溶解液計量工程に含まれる前記溶解液が吸入された前記注射器の計量動作を示唆するピクトグラムが表示されている。また、前記端末表示画面Ｄ２では、前記作業量領域Ａ１２に代えて、前記前記目標計量値と前記実測計量値とが視覚的に認識可能な態様で示される天秤領域Ａ１２１が表示されている。さらに、前記端末表示画面Ｄ２では、前記作業対象領域Ａ１３に代えて、前記溶解液計量工程の作業対象の目標計量値が示される目標領域Ａ１３３と、前記秤量部２２による実測計量値が表示される実測領域Ａ１３２とを含む計量領域Ａ１３０が表示されている。なお、前記計量領域Ａ１３０には、前記秤量部２２による計量状態が安定したか否かが示される前記安定表示領域Ａ１６も表示されている。
【０１０８】ここで、図１３に示されるように、前記天秤領域Ａ１２１には、予め設定された間隔で右肩上がりに形成された複数の目盛りが表示されると共に、複数の前記目盛りの中央には前記目標計量値に対応する目盛りが表示されている。なお、前記目盛り各々の間に割り当てられる重量の範囲は中央に近づくほど小さくなっていてもよい。
【０１０９】前記目標計量値に対応する目盛りは、他の目盛りとは異なる色などの態様で他の目盛りとは区別可能に表示されている。また、前記端末制御部１６１は、前記混注制御部１１から前記秤量部２２による実測計量値をリアルタイムで取得しており、前記天秤領域Ａ１２１において、前記実測計量値を識別可能な色などの態様で表示させる。具体的に、前記天秤領域Ａ１２１では、左側の短い目盛りほど計量値が小さく、右側の長い目盛りほど計量値が大きいことを示している。これにより、作業者は、前記天秤領域Ａ１２１において直感的に前記目標計量値と前記実測計量値とが一致しているか否かを認識することができると共に、一致していない場合にその誤差量を直感的に把握することが可能である。
【０１１０】また、前記端末制御部１６１は、前記計量領域Ａ１３１において、前記実測計量値と前記目標計量値との差が予め設定された誤差範囲内であるか否かに応じて前記実測領域Ａ１３２の背景色などの表示態様を変更することが考えられる。具体的に、前記端末制御部１６１は、前記差が前記誤差範囲内でない場合は、前記実測領域Ａ１３２の背景色を赤色などの第１特定色で表示し、前記差が前記誤差範囲内である場合は、前記実測領域Ａ１３２の背景色を前記第１特定色とは異なる白又は青などの第２特定色で表示させる。
【０１１１】＜溶解液撮影工程＞ここに、図１４は、前記溶解液撮影工程に対応する表示例を示す図である。
【０１１２】図１４に示されるように、前記本体側表示画面Ｄ１１では、前記作業工程領域Ａ１に、前記作業工程の内容として「画像を撮影してください。」の文字列が表示されている。また、前記作業対象領域Ａ３には、前記作業対象として「生理食塩液５００ｍｌ」の文字列が表示されている。
【０１１３】一方、図１４に示されるように、前記端末表示画面Ｄ２では、前記作業工程領域Ａ１１に、前記溶解液撮影工程に対応して予め設定され、前記溶解液撮影工程に含まれる前記撮影部１６３による撮影動作を示唆するカメラ画像を示すピクトグラムが表示されている。また、前記作業対象領域Ａ１３には、前記作業対象である薬品「生理食塩液５００ｍｌ」の略称である「５００ｍｌ生食」の文字列が表示されている。
【０１１４】＜溶解工程＞ここに、図１５〜図１８は、前記溶解工程に対応する表示例を示す図である。
【０１１５】図１５に示されるように、前記本体側表示画面Ｄ１１では、前記作業工程領域Ａ１に、前記作業工程の内容として「溶解してください。」の文字列が表示されている。また、前記作業量領域Ａ２には、前記作業量として「溶解量：２０ｍＬ」の文字列が表示されている。さらに、前記作業対象領域Ａ３には、前記作業対象として「アリムタ注射用５００ｍｇ」の文字列が表示されている。
【０１１６】一方、図１５に示されるように、前記端末表示画面Ｄ２では、前記作業工程領域Ａ１１に、前記溶解工程に対応して予め設定され、前記溶解工程に含まれる前記注射器内の溶解液を前記薬品容器に注入する動作を示唆するピクトグラムが表示されている。また、前記作業量領域Ａ１２には、前記作業量として「入  ２０ｍＬ」の文字列が表示されている。さらに、前記作業対象領域Ａ１３には、前記作業対象である薬品「アリムタ注射用５００ｍｇ」の略称である「５００ｍｇアリム」の文字列が表示されている。
【０１１７】なお、前記混注作業で他の薬品も使用される場合には、続けて前記他の薬品についても同様に前記本体表示画面Ｄ１１及び前記端末表示画面Ｄ２に前記溶解工程に対応する情報が表示される。例えば、図１６〜図１８では、前記本体表示画面Ｄ１１及び前記端末表示画面Ｄ２において、前記他の薬品についての前記溶解工程の情報として、前記作業工程の内容が溶解工程であり、前記作業対象がアリムタ注射用１００ｍｇであり、前記作業量が４．２ｍＬである旨が表示されている。
【０１１８】ところで、図１６〜図１８に示されるように、同一の薬品が収容されている複数の薬品容器を対象として前記溶解工程が複数回連続して実行される場合には、同一の前記端末表示画面Ｄ２が複数回連続して表示されることになる。具体的に、図１６〜図１８に示す例では、「１００ｍｇアリム」に対応する３本の薬品容器に、前記注射器内の溶解液を４．２ｍｌずつ注入して溶解する状況が示されている。これに対し、図１６〜図１８に示されるように、同一の薬品について前記溶解工程などの同一の作業工程が複数回繰り返し実行される場合、前記端末制御部１６１は、その作業工程の進捗状況を示すプログレスバーＡ１７を前記端末表示画面Ｄ２に表示させる。前記プログレスバーＡ１７では、長手方向を繰り返し実行される前記作業工程の数で分割した部分領域各々の色などの表示態様が、前記作業工程の終了ごとに順次変更される。これにより、作業者は、前記プログレスバーＡ１７を参照することにより、同一の薬品に対応する同一の作業工程について現在の作業工程の進捗状況を容易に認識することが可能である。なお、前記プログレスバーＡ１７の表示は省略されてもよい。
【０１１９】さらに、前記端末制御部１６１は、図１６〜図１８に示されるプログレスバーＡ１７に代えて、図１９Ａ〜図１９Ｃに示されるように、前記作業工程の数で分割した部分領域各々を明示することが考えられる。例えば、図１９Ａ〜図１９Ｃに示されている例では、前記部分領域各々の境界に線分が形成されている。これにより、作業者は、前記部分領域の数及び進捗状況をより正確に把握することが可能である。
【０１２０】＜薬液抜取り工程＞ここに、図２０及び図２１は、前記薬液抜取り工程に対応する表示例を示す図である。
【０１２１】図２０に示されるように、前記本体側表示画面Ｄ１１では、前記作業工程領域Ａ１に、前記作業工程の内容として「抜き取ってください。」の文字列が表示されている。また、前記作業量領域Ａ２には、前記作業量として「用量：２０ｍＬ」の文字列が表示されている。さらに、前記作業対象領域Ａ３には、前記作業対象として「アリムタ注射用５００ｍｇ」の文字列が表示されている。
【０１２２】一方、図２０に示されるように、前記端末表示画面Ｄ２では、前記作業工程領域Ａ１１に、前記薬液抜取り工程に対応して予め設定され、前記薬液抜取り工程に含まれる前記注射器のピストンを引いて前記薬品容器から薬液を抜き取る動作を示唆するピクトグラムが表示されている。また、前記作業量領域Ａ１２には、前記作業量として「抜  ２０ｍＬ」の文字列が表示されている。さらに、前記作業対象領域Ａ１３には、前記作業対象である薬品「アリムタ注射用５００ｍｇ」の略称である「５００ｍｇアリム」の文字列が表示されている。
【０１２３】また、前記混注作業で他の薬品も使用される場合には、続けて前記他の薬品についても同様に前記本体表示画面Ｄ１１及び前記端末表示画面Ｄ２に前記薬液抜取り工程に対応する情報が表示される。例えば、図２１では、前記本体表示画面Ｄ１１及び前記端末表示画面Ｄ２において、前記他の薬品についての前記溶解工程の情報として、前記作業工程の内容が溶解工程であり、前記作業対象がアリムタ注射用１００ｍｇであり、前記作業量が１２ｍＬである旨が表示されている。なお、図２０に示す例では、前記薬液抜取り工程の対象物である「アリムタ注射用１００ｍｇ」については、３本の前記薬品容器から抜き取られることになるが、図２１に示されるように、前記端末表示画面Ｄ２では、３本の前記薬品容器からの薬液抜取り量の合計量が前記作業量領域Ａ１２に表示されている。
【０１２４】＜薬液計量工程＞ここに、図２２は、前記薬液計量工程に対応する表示例を示す図である。
【０１２５】図２２に示されるように、前記本体側表示画面Ｄ１１では、前記作業工程領域Ａ１に、前記作業工程の内容として「計量してください。」の文字列が表示されている。また、前記作業量領域Ａ２には、前記作業量として「用量：３２ｍＬ」の文字列が表示されている。さらに、前記作業対象領域Ａ３には、前記作業対象として「アリムタ注射用」の文字列が表示されている。
【０１２６】一方、図２２に示されるように、前記端末表示画面Ｄ２では、前記作業工程領域Ａ１１に、前記薬液計量工程に対応して予め設定され、前記薬液計量工程に含まれる前記薬液が吸入された前記注射器の計量動作を示唆するピクトグラムが表示されている。また、前記端末表示画面Ｄ２では、前記溶解液計量工程と同様に、前記作業量領域Ａ１２に代えて前記天秤領域Ａ１２１が表示されている。さらに、前記端末表示画面Ｄ２では、前記溶解液計量工程と同様に、前記作業対象領域Ａ１３に代えて、前記計量領域Ａ１３０が表示されている。なお、前記計量領域Ａ１３０には、前記秤量部２２による計量状態が安定したか否かが示される前記安定表示領域Ａ１６も表示されている。また、前述したように、前記端末制御部１６１は、前記計量領域Ａ１３１において、前記実測計量値と前記目標計量値との差が予め設定された誤差範囲内であるか否かに応じて前記実測領域Ａ１３２の背景色などの表示態様を変更することが考えられる。
【０１２７】＜薬液撮影工程＞ここに、図２３は、前記薬液撮影工程に対応する表示例を示す図である。
【０１２８】図２３に示されるように、前記本体側表示画面Ｄ１１では、前記作業工程領域Ａ１に、前記作業工程の内容として「画像を撮影してください。」の文字列が表示されている。また、前記作業対象領域Ａ３には、前記作業対象として「５０ｍＬシリンジ−１」の文字列が表示されている。
【０１２９】一方、図２３に示されるように、前記端末表示画面Ｄ２では、前記作業工程領域Ａ１１に、前記薬液撮影工程に対応して予め設定され、前記薬液撮影工程に含まれる前記撮影部１６３による撮影動作を示唆するカメラ画像を示すピクトグラムが表示されている。また、前記作業対象領域Ａ１３には、前記作業対象である薬品「５０ｍＬシリンジ−１」の文字列が表示されている。
【０１３０】＜混注工程＞ここに、図２４は、前記混注工程に対応する表示例を示す図である。
【０１３１】図２４に示されるように、前記本体側表示画面Ｄ１１では、前記作業工程領域Ａ１に、前記作業工程の内容として「混注してください。」の文字列が表示されている。一方、図２４に示されるように、前記端末表示画面Ｄ２では、前記作業工程領域Ａ１１に、前記混注工程に対応して予め設定され、前記混注工程に含まれる前記注射器内の薬液を前記輸液バッグに注入する動作を示唆するピクトグラムが表示されている。
【０１３２】以上、説明したように、本実施形態に係る前記混注支援システム１では、前記ウェアラブル端末１６の端末表示部１６２の端末表示画面Ｄ２に、前記混注作業に必要な情報だけが集約されて表示される。そのため、作業者は、前記端末表示画面Ｄ２を参照して前記混注作業を効率的に進めることが可能である。
【０１３３】なお、本実施形態では、前記本体側表示画面Ｄ１１と前記端末表示画面Ｄ２とにおいて前記作業工程各々の情報が異なる態様で表示される場合について説明した。一方、前記本体側表示画面Ｄ１１が前記端末表示画面Ｄ２と同一であることも他の実施形態として考えられる。
【０１３４】また、本実施形態では、前記端末表示画面Ｄ２において、前記混注作業の作業工程の情報として、前記作業工程の内容、前記作業量、及び前記作業対象のみが表示されている。一方、前記端末表示画面Ｄ２では、前記操作表示領域Ａ１４及び前記ステータス領域Ａ１５なども表示されている。
【０１３５】これに対し、図２５Ａ〜図２５Ｃに示されるように、前記端末制御部１６１が、前記操作表示領域Ａ１４及び前記ステータス領域Ａ１５の一方又は両方が省略された前記端末表示画面Ｄ２を表示することも他の実施形態として考えられる。即ち、前記作業工程領域Ａ１１、前記作業量領域Ａ１２、及び前記作業対象領域Ａ１３のみが前記端末表示画面Ｄ２に表示されること、前記作業工程領域Ａ１１、前記作業量領域Ａ１２、前記作業対象領域Ａ１３、及び前記操作表示領域Ａ１４のみが前記端末表示画面Ｄ２に表示されること、前記作業工程領域Ａ１１、前記作業量領域Ａ１２、前記作業対象領域Ａ１３、及び前記ステータス領域Ａ１５のみが前記端末表示画面Ｄ２に表示されることが考えられる。
【０１３６】さらに、前記端末制御部１６１が、少なくとも前記作業工程領域Ａ１１、前記作業量領域Ａ１２、及び前記作業対象領域Ａ１３を予め設定された一定期間ごとに順次個別に前記端末表示画面Ｄ２に表示させることも考えられる。これにより、前記作業工程領域Ａ１１、前記作業量領域Ａ１２、及び前記作業対象領域Ａ１３各々を前記端末表示画面Ｄ２で大きく表示させることが可能である。
【０１３７】また、前記端末制御部１６１が、前記端末表示画面Ｄ２を表示する際には、前記操作表示領域Ａ１４の表示を省略しておき、前記混注制御部１１が前記フットスイッチ部１５の操作を受け付けた場合に前記混注制御部１１からの入力信号に従って前記操作表示領域Ａ１４を一時的に表示させることも考えられる。さらに、前記端末制御部１６１が、前記端末表示画面Ｄ２を表示してから予め設定された時間が経過するまでの間だけ前記ステータス領域Ａ１５を表示させて、その後に前記ステータス領域Ａ１５の表示を省略させることも考えられる。
【０１３８】また、前記端末制御部１６１が、前記作業対象領域Ａ１３に薬品名称などの識別情報を前記作業対象として表示する場合には、少なくとも前記識別情報から規格が除かれた略称の文字列を表示させることが考えられる。例えば、前記識別情報が「アリムタ注射用５００ｍｇ」である場合に、「アリムタ」又は「アリムタ注射用」などの略称の文字列が表示されることが考えられる。特に、前記端末制御部１６１は、前記作業工程のうち薬品を認証する前記薬品認証工程では前記端末表示部１６２に前記薬品名称を省略せずに表示させ、前記薬品認証工程の終了後の他の前記作業工程について前記薬品名称を表示する際には前記薬品名称の略称を前記端末表示部１６２に表示させることが考えられる。前記作業量領域Ａ１２に前記作業量が表示される前記端末表示画面Ｄ２を表示する際にのみ、前記作業対象領域Ａ１３において前記省略文字が表示されることが考えられる。これにより、前記識別情報に規格として含まれる数字と前記作業量とを誤って認識することが防止される。
【０１３９】［他の機能］以下、前記混注支援システム１が備える他の機能について説明する。なお、ここで説明する各種の機能は、前記混注支援システム１において、前記混注制御部１１又は前記ウェアラブル端末１６の初期設定などにおいて有効及び無効を切り替え可能である。
【０１４０】［薬品画像表示機能］前記実施形態では、前記端末表示画面Ｄ２において前記薬品名称などの識別情報の文字列が前記作業対象として表示される場合について説明した。一方、前記ウェアラブル端末１６において、前記端末制御部１６１が、前記作業対象として、前記薬品の外観写真又は外観イラストなどの薬品画像Ｐ１を前記端末表示画面Ｄ２に表示する薬品画像表示機能を有することが考えられる。なお、前記薬品画像Ｐ１には、少なくとも前記薬品の種類を識別可能な識別情報が含まれていることが望ましい。
【０１４１】具体的に、前記ウェアラブル端末１６では、前記記憶部１７３に、前記ウェアラブル端末１６で表示される薬品各々に対応する前記薬品画像Ｐ１を含む薬品画像マスターが記憶される。なお、前記薬品画像マスターでは、前記薬品各々の識別情報（薬品名、薬品コードなど）と前記薬品画像Ｐ１とが対応付けて記憶されている。これにより、前記端末制御部１６１は、前記作業対象となっている薬品の識別情報に基づいて、前記薬品画像マスターから前記薬品に対応する前記薬品画像Ｐ１を特定することが可能である。
【０１４２】そして、前記薬品画像表示機能が有効に設定されている場合、前記端末制御部１６１は、前記作業対象領域Ａ１３に表示される前記作業対象が薬品名称である場合、前記端末表示画面Ｄ２（例えば図８など参照）に、前記薬品名称と前記薬品画像Ｐ１とを予め設定された所定時間間隔で交互に表示させる。なお、前記端末制御部１６１が、前記端末表示画面Ｄ２の全体を、前記作業工程の内容、前記作業量、及び前記作業対象が表示される状態と前記薬品画像が表示される状態と、前記薬品画像Ｐ１が表示される状態とを切り替えることも考えられる。即ち、前記薬品画像Ｐ１が前記端末表示画面Ｄ２全体に表示されることが考えられる。また、前記端末制御部１６１が、前記作業対象領域Ａ１３において、前記薬品名称と前記薬品画像Ｐ１とを前記端末表示画面Ｄ２に同時に表示させることも考えられる。
【０１４３】このように、当該薬品画像表示機能によれば、作業者は、前記作業工程における作業対象の薬品を前記薬品画像Ｐ１によって直感的に認識することが可能となり、前記混注作業の作業効率を高めると共に、前記混注作業の人為的ミスを抑制することが可能である。
【０１４４】［薬品画像自動更新機能］ところで、前記混注作業の対象となる薬品として新薬の発売が開始された場合には、その新薬に対応する前記薬品画像Ｐ１を前記薬品画像マスターに登録する必要がある。また、薬品が収容される薬品容器のデザインが変更された場合にも、その薬品に対応する前記薬品画像Ｐ１を変更する必要がある。
【０１４５】これに対し、前記混注制御部１１は、予め設定された薬品データベースに基づいて前記薬品画像Ｐ１を自動的に更新する薬品画像自動更新機能を有することが考えられる。前記薬品データベースは、前記混注制御部１１が前記通信網を介して無線又は有線で通信可能なサーバー装置などに予め記憶されており、前記混注制御部１１は、前記サーバー装置から前記薬品データベースを取得可能である。前記サーバー装置は、例えばインターネット上に設けられたクラウドサーバーなどである。なお、前記薬品データベースは、前記混注制御部１１が備える不図示の読取装置によってＣＤ又はＤＶＤなどの記録媒体から読み取られることも考えられる。
【０１４６】そして、前記混注制御部１１は、前記薬品データベースに基づいて下記の薬品画像更新処理（図２８参照）を実行することにより、前記薬品画像自動更新機能を実現する。ここに、前記薬品画像更新処理を実行するときの前記混注制御部１１が薬品更新処理部の一例である。なお、前記薬品更新処理は、前記端末制御部１６１によって実行されてもよい。前記混注制御部１１は、例えば前記混注制御部１１の電源投入時、省電力モードからの復帰時、任意の更新開始操作時などに前記薬品画像更新処理を実行する。以下、図２８を参照しつつ、前記薬品画像更新処理の手順の一例について説明する。
【０１４７】＜ステップＳ４１＞ステップＳ４１において、前記混注制御部１１は、前記記憶部１１３に記憶されている前記薬品マスターに含まれる薬品各々の識別情報に基づいて、前記薬品データベースにおける前記薬品各々に対応する前記薬品画像Ｐ１の更新日時を取得する。例えば、前記更新日時は、タイムスタンプ情報として前記薬品画像Ｐ１のデータに含まれ、又は、前記薬品データベースに記憶されている。
【０１４８】＜ステップＳ４２＞ステップＳ４２において、前記混注制御部１１は、前記ウェアラブル端末１６に記憶されている前記薬品画像マスターにおける前記薬品各々に対応する前記薬品画像Ｐ１の更新日時を取得する。例えば、前記更新日時は、タイムスタンプ情報として前記薬品画像Ｐ１のデータに含まれ、又は、前記薬品画像マスターに記憶されている。なお、前記薬品画像マスターは、前記混注制御部１１の記憶部１１３に記憶されていてもよい。
【０１４９】＜ステップＳ４３＞ステップＳ４３において、前記混注制御部１１は、前記薬品マスターに含まれている前記薬品各々について、前記薬品データベースにおける前記薬品画像Ｐ１の更新日時と前記薬品画像マスターにおける前記薬品画像Ｐ１の更新日時とを比較して差分を検出する。
【０１５０】＜ステップＳ４４＞そして、ステップＳ４４において、前記混注制御部１１は、前記ステップＳ４３で検出される差分に基づいて、前記ウェアラブル端末１６の記憶部１７３に記憶されている前記薬品画像マスターを更新する。
【０１５１】具体的に、前記混注制御部１１は、前記薬品画像マスターに存在しない薬品が前記薬品データベースに存在する場合には、その薬品の前記薬品画像Ｐ１を前記薬品データベースから取得して前記ウェアラブル端末１６に送信する。これにより、前記ウェアラブル端末１６では、前記端末制御部１６１が、前記記憶部１７３の前記薬品画像マスターに前記薬品の識別情報と前記薬品画像Ｐ１とを対応付けて登録する。なお、前記混注制御部１１が、前記ウェアラブル端末１６の記憶部１７３に前記薬品画像Ｐ１を登録可能な構成であってもよい。これにより、前記混注支援システム１では、新薬などに自動的に対応することが可能である。
【０１５２】また、前記混注制御部１１は、前記薬品画像マスターに存在する薬品の前記薬品画像Ｐ１の更新日時が前記薬品データベースにおける同じ薬品の前記薬品画像Ｐ１の更新日時以前である場合にも、その薬品の前記薬品画像Ｐ１を前記薬品データベースから取得して前記ウェアラブル端末１６に送信する。これにより、前記ウェアラブル端末１６では、前記端末制御部１６１が、前記記憶部１７３の前記薬品画像マスターにおいて、前記混注制御部１１から送信された前記薬品画像Ｐ１を前記薬品に対応する前記薬品画像Ｐ１として更新する。これにより、前記混注制御部１１では、既に登録されている薬品について前記薬品画像Ｐ１が変更された場合に自動的に対応することが可能である。
【０１５３】さらに、前記混注制御部１１は、前記薬品画像マスターに存在する薬品が前記薬品データベースに存在しない場合には、その薬品の前記薬品画像Ｐ１を前記ウェアラブル端末１６の記憶部１７３から消去させる。これにより、前記ウェアラブル端末１６では、不要な前記薬品画像Ｐ１が自動的に削除されて記憶容量の圧迫が抑制される。
【０１５４】［設定機能］前記ウェアラブル端末１６では、前記ウェアラブル端末１６に関する一又は複数の設定項目について任意に設定可能であることが考えられる。前記設定項目には、例えば前記端末表示部１６２の表示モード、及び前記ウェアラブル端末１６の接続先などが含まれる。このような各種の前記設定項目の設定は、例えば作業者が前記ウェアラブル端末１６の前記端末操作部１６４の操作に応じて行われることが考えられるが、その場合には作業者が手を使って操作を行う必要がある。これに対し、前記ウェアラブル端末１６では、作業者が手を使うことなく前記設定項目の設定を行うことができる設定機能を有することが考えられ、以下、前記設定機能について説明する。
【０１５５】ここで、前記設定項目の一例である前記表示モードについて説明する。まず、前記ウェアラブル端末１６は、予め定められた右目又は左目のいずれか一方のみで前記端末表示部１６２を視認可能な状態で作業者に装着可能であることも考えられるが、この場合には、作業者が自由に右目又は左目を選択することができない。これに対し、前記ウェアラブル端末１６が、作業者が右目で前記端末表示部１６２を見る右目モードと、作業者が左目で前記端末表示部１６２を見る左目モードとを備え、前記端末制御部１６１が前記端末表示部１６２の表示モードを前記右目モードと前記左目モードとを任意に切替可能であることが考えられる。具体的に、作業者が左目で前記端末表示部１６２を見る場合には、作業者は図４に示される状態で前記端末表示部１６２が装着され、作業者が右目で前記端末表示部１６２を見る場合には、図４に示される状態から前記ウェアラブル端末１６の上下を反転させた状態で装着されることになる。そのため、前記端末制御部１６１は、前記右目モードと前記左目モードとにおいて前記端末表示部１６２の表示画面の上下を反転させる。
【０１５６】続いて、前記設定項目の一例である前記接続先について説明する。まず、前記混注支援システム１が使用される病院又は薬局には、複数の前記混注支援システム１が設けられることがある。この場合、前記ウェアラブル端末１６をいずれの前記混注支援システム１で使用するかが予め固定されていることも考えられるが、前記ウェアラブル端末１６を使用する前記混注支援システム１を任意に切替可能であることが望ましい。そのため、前記端末制御部１６１は、前記ウェアラブル端末１６の接続先を任意に設定可能であることが考えられる。具体的には、複数の前記混注支援システム１に対応する号機番号が予め設定されており、前記号機番号が設定されることによって前記接続先が設定される。なお、複数の前記混注支援システム１では、前記混注制御部１１が共通であることも考えられ、この場合には、例えば前記ウェアラブル端末１６の接続先に代えて、前記混注制御部１１を除く前記フットスイッチ部１５、前記第２読取部２１、及び前記秤量部２２などの構成要素との関連付けが設定項目として設定される。
【０１５７】そして、前記端末制御部１６１は、後述の設定処理（図２９参照）を実行することにより、前記設定機能を実現する。ここに、前記設定処理を実行するときの前記端末制御部１６１が設定処理部の一例である。ここで、前記端末制御部１６１は、前記ウェアラブル端末１６の電源投入又は省電力モードからの復帰などによる前記ウェアラブル端末１６の起動に伴って前記設定処理を実行する。
【０１５８】また、前記設定処理の一部又は全部が、前記混注制御部１１によって実行されてもよい。この場合、前記混注制御部１１は、前記ウェアラブル端末１６の電源が投入されて起動した後、前記ウェアラブル端末１６から送信される起動信号に基づいて、前記ウェアラブル端末１６の起動を認識する。
【０１５９】以下、図２９を参照しつつ、前記設定処理の手順の一例について説明する。
【０１６０】＜ステップＳ５１＞まず、前記ウェアラブル端末１６の起動に伴って、前記端末制御部１６１は、ステップＳ５１において、前記設定項目の内容を設定するために用いられる設定画面Ｄ３を前記端末表示部１６１に表示させる。なお、前記設定画面Ｄ３のレイアウト情報及び画像データなどは前記記憶部１７３に記憶されている。ここに、図３０Ａ〜図３０Ｃは、前記設定画面Ｄ３の一例を示す図である。
【０１６１】図３０Ａに示されるように、前記端末制御部１６１は、前記設定画面Ｄ３において、前記撮影部１６３で捉えられる映像をプレビュー画面Ｐ２に表示させる。また、前記端末制御部１６１は、前記プレビュー画面Ｐ２に一次元コード又は二次元コードなどのコード情報を写すことを促すメッセージも前記設定画面Ｄ３に表示させる。さらに、前記端末制御部１６１は、前記ウェアラブル端末１６で過去に設定された前記設定項目の履歴が前記記憶部１７３に記憶されている場合には、最も新しい履歴を現在の前記設定項目の設定内容として前記設定画面Ｄ３に表示させる。なお、前記設定項目の履歴は前記混注制御部１１の記憶部１１３に記憶されており、前記端末制御部１６１が前記記憶部１１３から読み出してもよい。図３０Ａに示される例では、現在の前記設定項目の設定内容として、前記表示モードが右目モードであり、前記接続先が１号機である旨が表示されている。
【０１６２】＜ステップＳ５２＞ステップＳ５２において、前記端末制御部１６１は、前記撮影部１６３で捉えられる一次元コード又は二次元コードなどのコード情報から情報を読み取る読取処理が実行可能な待機状態に遷移させる。ここで、前記コード情報は、例えば不図示の紙媒体に印刷されていること、前記安全キャビネット１００に貼付されていること、又は不図示のタブレット端末などに表示されること等が考えられる。なお、前記一次元コードは、例えばバーコードであり、前記二次元コードは、例えばＱＲコード（登録商標）である。ここに、前記読取処理を実行するときの前記端末制御部１６１が読取処理部の一例である。具体的に、前記端末制御部１６１は、前記撮影部１６３による撮影範囲内に前記コード情報が存在する場合に、前記コード情報から情報を読み取る。即ち、前記端末制御部１６１は、作業者による撮影操作を要することなく、前記コード情報から情報を読み取ることが可能である。
【０１６３】＜ステップＳ５３＞ステップＳ５３において、前記端末制御部１６１は、前記待機状態の継続時間を示す待機時間の計時を開始する。具体的に、前記端末制御部１６１は、前記ステップＳ５３が実行されるタイミングで前記待機時間を０にリセットして前記待機時間の計時を開始する。
【０１６４】＜ステップＳ５４＞ステップＳ５４において、前記端末制御部１６１は、前記待機状態において前記読取処理によって前記コード情報から情報が読み取られたか否かを判断する。ここで、前記コード情報から情報が読み取られたと判断された場合（Ｓ５４：Ｙｅｓ）、処理はステップＳ５４１に移行する。一方、前記コード情報から情報が読み取られていないと判断された場合（Ｓ５４：Ｎｏ）、処理はステップＳ５５に移行する。なお、前記端末制御部１６１は、前記読取処理で読み取られた情報が前記設定項目の設定に用いられる予め定められた特定の情報を含む場合にのみ情報が読み取られたと判断し、前記特定の情報が含まれていない場合には前記読取処理で読み取られた情報を無視することも考えられる。
【０１６５】＜ステップＳ５５＞ステップＳ５５において、前記端末制御部１６１は、前記ステップＳ５３で計時が開始された前記待機時間が予め設定された上限時間（例えば５秒又は１０秒）以上であるか否かを判断する。ここで、前記待機時間が前記上限時間以上であると判断された場合（Ｓ５５：Ｙｅｓ）、処理はステップＳ５６に移行する。なお、前記待機時間が前記上限時間以上でないと判断された場合（Ｓ５５：Ｎｏ）、処理は前記ステップＳ５４に戻る。
【０１６６】なお、本実施形態では、前記ウェアラブル端末１６の起動後、最初に実行される前記ステップＳ５５で判断指標として用いられる上限時間（第１上限時間に相当）と、２回目以降に実行される前記ステップＳ５５で判断指標として用いられる上限時間（第２上限時間に相当）とが同じ時間である場合について説明するが、前記上限時間（第１上限時間、第２上限時間）各々は異なる時間であってもよい。即ち、前記端末制御部１６１は、前記ウェアラブル端末１６が起動してから前記第１上限時間内に前記読取処理によって情報が読み取られ、その情報に基づいて前記設定項目を設定した後も前記待機状態を維持する。そして、その後、前記端末制御部１６１は、予め設定された第２上限時間以内の間隔で前記読取処理によって情報が読み取られた場合は当該情報に基づいて前記設定項目の内容を設定して前記待機状態を維持する。即ち、前記ウェアラブル端末１６が起動後、２回目だけでなく３回目以降も、前記第２上限時間以内の間隔で前記読取処理によって情報が読み取られる場合にはその情報に基づく前記設定項目の内容の設定が実行されることになる。一方、前記端末制御部１６１は、前回の前記読取処理による情報の読み取り後から前記第２上限時間の経過前に前記読取処理によって情報が読み取られなかった場合は前記待機状態を解除する。例えば、前記第１上限時間が前記第２上限時間よりも長く設定されていれば、作業者が前記ウェアラブル端末１６の電源投入後に最初の前記コード情報を読み取るまでの間に余裕ができると共に、その後は無駄な待ち時間が短縮される。
【０１６７】また、前記端末制御部１６１は、前記ステップＳ５５において前記待機時間が前記上限時間以上に達していない場合であっても（Ｓ５５：Ｎｏ）、前記ウェアラブル端末１６で設定可能な全ての前記設定項目各々についての設定が一通り実行された場合は、処理をステップＳ５８に移行させることも他の実施形態として考えられる。
【０１６８】＜ステップＳ５４１＞一方、前記コード情報から情報が読み取られたと判断された場合は、続くステップＳ５４１において、前記端末制御部１６１は、前記コード情報から読み取られた情報に基づいて前記設定項目の内容を設定し、前記待機状態を維持したまま処理を前記ステップＳ５３に戻す。
【０１６９】即ち、前記端末制御部１６１は、前記ウェアラブル端末１６の起動開始時に前記待機状態に遷移した後、前記上限時間が経過するまでの間に前記読取処理によって情報が読み取られた場合は、当該情報に基づいて前記設定項目の内容を設定する。同様に、前記端末制御部１６１は、前記ステップＳ５４１による設定処理が実行された後、前記上限時間が経過するまでの間に前記読取処理によって情報が読み取られた場合にも、当該情報に基づいて前記設定項目の内容を設定する。なお、前記端末制御部１６１は、前記設定処理によって既に設定された前記設定項目を設定するための情報が前記読取処理で読み取られた場合にも、前記設定項目の内容を再設定した後、処理をステップＳ５３に戻すことにより前記待機時間をリセットして前記待機時間の計時を０から再度開始する。これにより、誤って前記設定項目が設定された場合でも容易にその設定内容を変更することが可能である。
【０１７０】また、前記読取処理によって読み取られた情報に基づいて前記設定項目が設定された後も前記待機状態が継続する。従って、前記端末制御部１６１は、前記設定処理において、複数の前記設定項目を連続的に設定することが可能であるため、作業者は複数の前記設定項目の内容を設定する場合であっても前記ウェアラブル端末１６の操作を行う必要がない。
【０１７１】より具体的に、前記端末制御部１６１は、前記コード情報から読み取られた情報に基づいて、前記設定項目の種別を判断すると共に、その設定項目の内容を設定する。例えば、前記端末制御部１６１は、前記設定項目が前記表示モードであってその内容が前記左目モードであることを示す情報が前記コード情報から読み取られた場合に、前記表示モードを前記左目モードに設定する。ここに、図３０Ｂは、前記表示モードが前記左目モードに設定された場合の表示例である。図３０Ｂに示されるように、前記端末制御部１６１は、前記表示モードを前記左目モードに設定すると共に、前記表示モードが前記左目モードに設定された旨のメッセージを前記設定画面Ｄ３の前記プレビュー画面Ｐ２にポップアップ表示させる。なお、前記メッセージは、予め設定された時間が経過した後、自動的に前記設定画面Ｄ３から消去される。
【０１７２】また、前記端末制御部１６１は、前記設定項目が前記接続先であってその内容が２号機番号であることを示す情報が前記コード情報から読み取られた場合に、前記接続先を２号機に設定する。具体的に、前記端末制御部１６１は、前記ウェアラブル端末１６を、２号機に対応する前記混注支援システム１に対応する前記混注制御部１１との間で通信接続を確立する。また、複数の前記混注支援システム１に共通の前記混注制御部１１が用いられる場合には、前記ウェアラブル端末１６が使用される前記安全キャビネット１００が前記号機番号などによって設定され、前記安全キャビネット１００に対応して配置されたその他の構成要素が前記ウェアラブル端末１６と対応付けられる。ここに、図３０Ｃは、前記接続先が２号機に設定された場合の表示例である。図３０Ｃに示されるように、前記端末制御部１６１は、前記接続先を２号機に設定すると共に、前記接続先が２号機に設定された旨のメッセージを前記設定画面Ｄ３の前記プレビュー画面Ｐ２にポップアップ表示させる。なお、前記メッセージは、予め設定された時間が経過した後、自動的に前記設定画面Ｄ３から消去される。
【０１７３】また、一つの前記コード情報に複数の前記設定項目に関する情報が含まれており、前記端末制御部１６１が、一つの前記コード情報から読み取られる情報に基づいて複数の前記設定項目の内容を一挙に設定することが考えられる。具体的に、前記表示モード及び前記接続先の２種類の前記設定項目について、合計４つの前記コード情報が用意されている場合には、一つの前記コード情報から読み取られる情報に基づいて前記表示モード及び前記号機番号の合計４種類の組み合わせが設定可能である。例えば、一つの前記コード情報から読み取られた情報に基づいて、前記表示モードが前記左目モードに設定され、前記接続先が２号機に設定されることが考えられる。
【０１７４】また、同じ作業者であれば、前記ウェアラブル端末１６で設定する前記設定項目各々の内容が常に同じであることが考えられる。そこで、前記端末制御部１６１は、前記ウェアラブル端末１６を使用する作業者ごとに前記設定項目各々の内容を設定することも考えられる。具体的に、前記記憶部１７３には、前記作業者ごとに対応する前記設定項目各々の内容が予め記憶されており、前記端末制御部１６１が、前記コード情報から前記作業者を識別可能な情報が読み取られた場合に、前記作業者に対応する前記設定項目各々の内容を前記記憶部１７３から読み出して設定することが考えられる。例えば、前記端末制御部１６１は、ある作業者が前記ウェアラブル端末１６又は前記混注制御部１１にログインした後に、前記設定処理で設定された最新の前記設定項目各々の内容を当該作業者に対応付けて前記記憶部１７３に記憶させることが考えられる。なお、前記作業者ごとに対応する前記設定項目の内容は前記混注制御部１１の記憶部１１３に記憶されており、前記端末制御部１６１が前記記憶部１１３から前記作業者ごとに対応する前記設定項目の内容を読み出してもよい。また、前記混注支援システム１に複数の前記ウェアラブル端末１６が含まれる場合に、そのいずれかの前記ウェアラブル端末１６の前記記憶部１７３に前記作業者ごとに対応する前記設定項目の内容が記憶されており、前記端末制御部１６１が他の前記ウェアラブル端末１６の前記記憶部１７３から前記作業者ごとに対応する前記設定項目の内容を読み出してもよい。
【０１７５】＜ステップＳ５６＞前記待機時間が前記上限時間以上であると判断されると、続くステップＳ５６において、前記端末制御部１６１は、前記読取処理が実行可能な前記待機状態を解除する。即ち、前記端末制御部１６１は、前記ウェアラブル端末１６が起動して前記待機状態に遷移した後、前記上限時間が経過するまでの間に前記読取処理によって情報が読み取られなかった場合は前記待機状態を解除する。同様に、前記端末制御部１６１は、前記ステップＳ５４１による前記設定項目の設定処理が実行された後、前記上限時間が経過するまでの間に前記読取処理によって情報が読み取られなかった場合にも前記待機状態を解除する。従って、前記端末制御部１６１は、前記設定処理において、前記上限時間内に前記コード情報から情報が読み取られないことを条件に自動的に前記設定処理を終了させることが可能であるため、作業者は前記設定項目の内容を設定しない場合であっても手で前記ウェアラブル端末１６の操作を行う必要がない。
【０１７６】＜ステップＳ５７＞ステップＳ５７において、前記端末制御部１６１は、前記ウェアラブル端末１６について設定可能な一又は複数の前記設定項目に、前記待機状態で前記読取処理によって読み取られる情報に基づいて設定されなかった未設定項目が存在する場合は、当該未設定項目を前記記憶部１７３に記憶されている前記履歴に基づいて設定する。具体的に、前記端末制御部１６１は、前記未設定項目の内容を前記記憶部１７３に記憶されている最新の前記履歴の状態に設定する。なお、前記端末制御部１６１は、前記ウェアラブル端末１６で過去に設定された前記設定項目の履歴を前記記憶部１７３に蓄積して前記記憶部１７３に記憶すること、又は前記設定項目各々について最新の履歴のみを前記記憶部１７３に記憶することが考えられる。
【０１７７】＜ステップＳ５８＞ステップＳ５８において、前記端末制御部１６１は、前記表示制御処理（図７参照）を開始する。これにより、前記ウェアラブル端末１６では、前記端末表示部１６２に前記混注作業の各作業工程の内容が順次表示され、作業者による前記混注作業が支援されることになる。このとき、前記表示制御処理において、前記端末制御部１６１は、前記設定処理で設定された前記設定項目各々の設定内容に従って前記作業工程各々の内容を前記端末表示部１６２に表示させる。
【０１７８】以上、説明したように、前記混注支援システム１では、前記ウェアラブル端末１６が起動に伴って前記待機状態に遷移し、前記読取処理で読み取られる情報に基づいて前記設定項目の内容が設定されるため、作業者が手を使って操作を行うことなく一又は複数の前記設定項目を設定することが可能である。
【０１７９】また、前記端末制御部１６１は、前記ステップＳ５４で前記コード情報から情報が読み取られた場合に、その情報に対応する設定項目の種別を判断すると共に、その設定項目の内容を設定すること、即ち複数の前記設定項目について任意の順序で設定可能な構成について説明した。一方、前記端末制御部１６１が、予め設定された複数の前記設定項目についての前記コード情報の読み取りを促す画面を予め設定された順序で表示させ、その表示に対応する前記設定項目の内容を示す情報が前記コード情報から順次読み取られることにより、前記設定項目各々の内容を順次設定することも他の実施形態として考えられる。
【０１８０】なお、前記設定項目の種別は、前記表示モード及び前記接続先に限らず、前記ウェアラブル端末１６又は前記混注制御部１１の動作に関する各種の設定項目であればよい。例えば、前記混注支援システム１が複数の撮影部を備える場合に、その複数の撮影部から、前記混注作業に含まれる前記溶解液撮影工程又は前記薬液撮影工程などの撮影工程で用いる撮影部を選択するための設定が前記設定項目の一例として考えられる。例えば、前記混注支援システム１が、前記ウェアラブル端末１６の前記撮影部１６３の他に、前記操作表示部１２及び前記第１読取部１３などと共に固定され、或いは、前記安全キャビネット１００に固定された状態で用いられる固定撮影部を備えることが考えられる。この場合、前記端末制御部１６１は、前記設定処理において、前記コード情報から読み取られる情報に基づいて、前記撮影工程で使用する撮影部として前記撮影部１６３及び前記固定撮影部のいずれかを選択することが考えられる。
【０１８１】また、前記混注支援システム１では、前記混注作業に含まれる各作業工程の表示内容が作業者の技能レベル又は作業者の好みに応じて変更可能であることが考えられる。具体的に、前記端末制御部１６１は、前記作業工程について簡易的に作業工程の内容を表示する簡易モードと、前記作業工程について詳細に作業工程の内容を表示する詳細モードとを備え、前記設定処理における前記読取処理で読み取られた情報に応じて前記簡易モードと前記詳細モードとを切り替えることが考えられる。この場合、前記簡易モード及び前記詳細モードの切り替えの設定が前記設定項目の一例として考えられる。例えば、前記溶解液抜取り工程又は前記薬液抜取り工程などの抜取り工程において、前記調製データで指定されている注射器で複数回の抜取り工程に分けて溶解液又は薬液を抜き取る必要がある場合、前記詳細モードでは前記抜取り工程各々に対応する抜取り量が前記端末表示画面Ｄ２に順次表示され、前記簡易モードでは前記抜取り量の合計が前記端末表示画面Ｄ２に表示される。また、前記溶解液計量工程又は前記薬液計量工程などの計量工程が実行される場合に、前記詳細モードでは、前記計量工程による計量対象の溶解液又は薬液を注射器で抜き取ることを促す抜取り表示画面が表示された後に秤量画面を表示させ、前記簡易モードでは、前記抜取り表示画面が表示されずに前記秤量画面が表示されることが考えられる。
【０１８２】また、前記混注支援システム１では、前記混注制御部１１が、前記薬品画像表示機能の有効及び無効を、前記設定処理における前記読取処理で読み取られた情報に応じて切り替えることが考えられる。即ち、前記薬品画像表示機能の有効及び無効の切り替えの設定が前記設定項目の一例であることが考えられる。
【符号の説明】
【０１８３】１混注支援システム１１混注制御部１２操作表示部１３第１読取部１４プリンター１５フットスイッチ部１６ウェアラブル端末１６１端末制御部１６２端末表示部１６３撮影部１６４端末操作部１６５スピーカー１６６マイク２１第２読取部２２秤量部
【図１】
2017018370.tif 000003
【図２】
2017018370.tif 000004
【図３】
2017018370.tif 000005
【図４】
2017018370.tif 000006
【図５】
2017018370.tif 000007
【図６Ａ】
2017018370.tif 000008
【図６Ｂ】
2017018370.tif 000009
【図７】
2017018370.tif 000010
【図８】
2017018370.tif 000011
【図９】
2017018370.tif 000012
【図１０】
2017018370.tif 000013
【図１１】
2017018370.tif 000014
【図１２】
2017018370.tif 000015
【図１３】
2017018370.tif 000016
【図１４】
2017018370.tif 000017
【図１５】
2017018370.tif 000018
【図１６】
2017018370.tif 000019
【図１７】
2017018370.tif 000020
【図１８】
2017018370.tif 000021
【図１９Ａ】
2017018370.tif 000022
【図１９Ｂ】
2017018370.tif 000023
【図１９Ｃ】
2017018370.tif 000024
【図２０】
2017018370.tif 000025
【図２１】
2017018370.tif 000026
【図２２】
2017018370.tif 000027
【図２３】
2017018370.tif 000028
【図２４】
2017018370.tif 000029
【図２５Ａ】
2017018370.tif 000030
【図２５Ｂ】
2017018370.tif 000031
【図２５Ｃ】
2017018370.tif 000032
【図２６】
2017018370.tif 000033
【図２７】
2017018370.tif 000034
【図２８】
2017018370.tif 000035
【図２９】
2017018370.tif 000036
【図３０Ａ】
2017018370.tif 000037
【図３０Ｂ】
2017018370.tif 000038
【図３０Ｃ】
2017018370.tif 000039
【国際調査報告】
2017018370.tif 000040
2017018370.tif 000041
2017018370.tif 000042
2017018370.tif 000043
2017018370.tif 000044
2017018370.tif 000045
2017018370.tif 000046
2017018370.tif 000047